(57)【要約】【課題】多種の電機特性を表すことが可能な、遠心力によって回転子の軸方向作動の調整制御を行う電機を提供する。【解決手段】回転電機の電機回転軸Ｓ１００と電機回転子Ｒ１００の間、電機回転子Ｒ１００とケーシングＨ１００の間、または電機回転軸Ｓ１００とケーシングＨ１００の間の、遠心引き動き機構ＦＣＤ１００によって軸方向移行を行うよう電気回転子を引き動かす。電機回転軸Ｓ１００に選択的に軸方向定位置制限構造体Ｄ１００を設置する。運転時は電機回転子Ｒ１００の回転速度の変化によって電機回転子Ｒ１００は相対の軸方向移行をし、電機磁場間の電機特性を調整制御する。減速時の復帰のため軸方向の予力ばねＳＰ１００が設けられ、電機回転子は回転速度に伴って相対の軸方向移行をする。電機回転子Ｒ１００と電機磁場Ｆ１００相対位置を変え、電機回転子Ｒ１００と電機磁場Ｆ１００の間に相対に設定した特性が発生する。【選択図】    図１
2004215454.tif 000002
【特許請求の範囲】
【請求項１】
遠心力によって回転子の軸方向作動の調整制御を行う電機であって、
回転電機の電機回転軸と電機回転子との間、または電機回転子とケーシングとの間、または回転軸とケーシングとの間に、遠心力によって軸方向の引き動かしを行う構造が設けられ、軸方向の予力ばねが設置され、並びに電機回転軸に対して選択性に軸方向の定位置制限構造体を設置し、電機回転子の回転速度の速さ状態によって電機回転子の相対軸方向の移行を調整制御し、電機回転子と磁場形成構造間の電機特性を調整制御し、交流または直流発電機または電動機の磁場形成構造から構成された磁場形成構造（Ｆ１００）を備え、
（Ｆ１）は、磁場形成構造の磁極と電機回転子との間に、平常態の安定した平均分布の磁場を形成するものであり、
（Ｆ２）は、磁場形成構造の磁極と電機回転子との間の軸方向片側または両側に、異なる強度分布の磁場を形成するものであり、
（Ｆ３）は、磁場形成構造の磁極と電機回転子との間の軸方向片側または両側に、電機回転子と違う隙間があるものであり、
（Ｆ４）は、磁場形成構造の磁極と電機回転子との間の軸方向片側または両側に、多数の永久磁石による磁極、または励磁コイル（Ｗ１００）の励磁による磁極を形成するもの、若しくは多数個の永久磁石による磁極と励磁コイル（Ｗ１００）の励磁による磁極の両者を混合して、磁場形成構造と電機回転子との間の軸方向に直列して形成するものであり、
磁場形成構造（１０１）の構造形態は前記（Ｆ１）〜（Ｆ４）のうち少なくとも一つを含み、
交流または直流発電機または電動機の永久磁石型、凸極型、磁滞型、コイル励磁型、整流子型、渦流型、かご型、の各種交流または直流のブラシ付きまたはブラシなし、同調または不同調回転子が単独または混合して構成された電機回転子（Ｒ１００）を備え、
遠心力によって軸方向の引き動き力が発生する機構から構成され、並びに減速時は復帰に表れる軸方向の予力ばね（ＳＰ１００）が設けられ、電機回転子の回転速度に伴って電機回転子が相対の軸方向移行を行うよう引き動かし、それをもって電機回転子（Ｒ１００）と磁場形成構造（Ｆ１００）相対位置を変え、電機回転子（Ｒ１００）と磁場形成構造（Ｆ１００）の間に相対に設定した発電機または電動機の特性が発生する遠心引き動き機構（ＦＣＤ１００）を備えることを特徴とする遠心力によって回転子の軸方向作動の調整制御を行う電機。
【請求項２】
電機回転軸（Ｓ１００）とケーシング（Ｈ１００）の間には軸受け（Ｂ１００）が設けられ、電機回転子（Ｒ１００）と電機回転軸（Ｓ１００）の間には回転伝動及び軸方向移行可能な構造、スプライン軸またはその他軸方向移行可能なキー溝構造（ＳＬ１００）が設けられ、またはそのキー溝状の線性互動体の間に線性ローリングボールまたはロール構造が設けられ、電機回転子（Ｒ１００）及び電機回転軸（Ｓ１００）の間に遠心引き動き機構（ＦＣＤ１００）が設けられ、遠心引き動き機構（ＦＣＤ１００）には遠心塊（ＦＷ５００）が設けられ、遠心塊（ＦＷ５００）には両側のスイング可能なアーム（Ａ５００）の結合に供される枢軸関節構造（ＳＣ５００）が設けられ、
その中の一側のスイング可能なアーム（Ａ５００）は枢軸関節構造（ＳＣ５００）が設けられている固定台（Ｃ１００）に連結され、別の一側のスイング可能なアーム（Ａ５００）は枢軸関節構造（ＳＣ５００）が設けられて電機回転子  （Ｒ１００）との結合に供される固定台または電機回転子構造から一体に延伸して作られた固定台（Ｃ３００）に連結され、電機回転軸（Ｓ１００）の固定台（Ｃ１００）と電機回転子（Ｒ１００）の間には減速時は復帰に表れる軸方向の予力ばね（ＳＰ１００）が設けられ、
電機回転軸（Ｓ１００）には選択的に軸方向の定位置制限構造体（Ｄ１００）が設置され、電機回転子（Ｒ１００）により発電機機能の運転または電動機機能の運転を行った場合、電機回転子（Ｒ１００）の回転速度によって遠心引き動き機構（ＦＣＤ１００）が回転速度に伴って遠心力が変化するよう操作制御し、電機回転子が設定方向の軸方向移行を行うよう駆動し、それによって電機回転子（Ｒ１００）と磁場形成構造（Ｆ１００）の間に相対設定の発電機または電動機機能が発生することを特徴とする請求項１記載の遠心力によって回転子の軸方向作動の調整制御を行う電機。
【請求項３】
遠心引き動き機構（ＦＣＤ１００）は電機回転子（Ｒ１００）及びケーシング（Ｈ１００）の間に設置することに供され、並びに回転結合可能及び軸方向抗張力機能のあるものに表れ、電機回転子（Ｒ１００）と電機回転軸（Ｓ１００）の間にはスプライン軸、またはその他軸方向移行可能なキー溝構造（ＳＬＺ１００）が設けられ、そのキー溝状の線性互動体の間に線性ローリングボールまたはロール構造が設けられ、遠心引き動き機構（ＦＣＤ１００）の一側は枢軸関節構造（ＳＣ５００）に連結されて両側のスイング可能なアーム（Ａ５００）と連結し、
その中の一側のスイング可能なアーム（Ａ５００）は電機回転子との結合に供される固定台または電機回転子構造から一体に延伸して作られた固定台（Ｃ３００）に連結され、別の一側のスイング可能なアーム（Ａ５００）は枢軸関節構造（ＳＣ５００）が設けられているリング形ワッシャ（ＷＳ１００）に連結され、及び軸受け（Ｂ２００）を経て固定台（Ｃ２００）に連結し、ケーシング（Ｈ１００）と回転可能な結合及び軸方向の抗張力機能があるものに表れ、遠心引き動き機構（ＦＣＤ１００）のリング形ワッシャ（ＷＳ１００）と電機回転子（Ｒ１００）との結合に供される固定台（Ｃ３００）の間には、減速時は復帰に表れる軸方向の予力ばね（ＳＰ１００）が設けられ、
電機回転軸には軸方向の定位置制限構造体（Ｄ１００）が設置され、電機回転軸（Ｓ１００）とケーシング（Ｈ１００）の間には結合された電機回転軸（Ｓ１００）が回転駆動を行う軸受け（Ｂ１００）が設けられ、電機回転子（Ｒ１００）及び電機回転軸（Ｓ１００）が発電機機能の運転または電動機機能の運転を行った場合、それの回転速度によって遠心引き動き機構（ＦＣＤ１００）は回転速度に伴って遠心力が変化するよう操作制御し、電機回転子（Ｒ１００）は電機回転軸（Ｓ１００）に沿って設定方向の軸方向移行が発生するよう駆動し、並びに磁場形成構造（Ｆ１００）と相対設定の発電機または電動機機能が発生することを特徴とする請求項１記載の遠心力によって回転子の軸方向作動の調整制御を行う電機。
【請求項４】
遠心引き動き機構（ＦＣＤ１００）は電機回転子（Ｒ１００）及びケーシング（Ｈ１００）の間に設置することに供され、回転結合可能及び軸方向抗張力機能のあるものに表れ、電機回転子（Ｒ１００）と電機回転軸（Ｓ１００）は結合し、遠心引き動き機構（ＦＣＤ１００）の一側は枢軸関節構造（ＳＣ５００）に連結されて両側のスイング可能なアーム（Ａ５００）と連結し、その中の一側のスイング可能なアーム（Ａ５００）は電機回転子との結合に供される固定台または電機回転子構造から一体に延伸して作られた固定台（Ｃ３００）に連結されて電機回転子と結合し、別の一側はスイング可能なアーム（Ａ５００）によって枢軸関節構造（ＳＣ５００）が設けられているリング形ワッシャ（ＷＳ１００）に連結され、及び軸受け（Ｂ２００）を経て固定台（Ｃ２００）に連結し、ケーシング（Ｈ１００）と回転可能な結合及び軸方向の抗張力機能があるものに表れ、
遠心引き動き機構（ＦＣＤ１００）のリング形ワッシャ（ＷＳ１００）と電機回転子（Ｒ１００）との結合に供される固定台（Ｃ３００）の間には減速時は復帰に表れる軸方向の予力ばね（ＳＰ１００）が設けられ、
電機回転軸には軸方向の定位置制限構造体（Ｄ１００）が設置され、電機回転軸（Ｓ１００）とケーシング（Ｈ１００）の間には結合された電機回転軸（Ｓ１００）が軸方向移行及び回転駆動を行うスリーブまたは軸受け（Ｂ１００）が設けられ、軸方向移行または回転駆動を行うスリーブまたは軸受け（Ｂ１００）とケーシング（Ｈ１００）との間の軸方向の位置固定を行うことが可能であり、それによって電機回転子（Ｒ１００）及び電機回転軸（Ｓ１００）により発電機機能の運転または電動機機能の運転を行った場合、回転速度に伴って遠心引き動き機構（ＦＣＤ１００）は遠心力が変化するよう操作制御し、電機回転子に設定方向の軸方向移行が発生するよう駆動し、磁場形成構造（Ｆ１００）と相対設定の発電機または電動機機能が発生することを特徴とする請求項１記載の遠心力によって回転子の軸方向作動の調整制御を行う電機。
【請求項５】
電機回転子（Ｒ１００）の電機回転軸（Ｓ１００）とケーシング（Ｈ１００）内側の間には電機回転軸（Ｓ１００）が軸方向移行を引き動かすことに供される遠心引き動き機構（ＦＣＤ１００）が設けられ、遠心引き動き機構（ＦＣＤ１００）には遠心塊（ＦＷ５００）が設けられ、遠心塊（ＦＷ５００）には両側のスイング可能なアーム（Ａ５００）の結合に供される枢軸関節構造（ＳＣ５００）が設けられ、その中の一側のスイング可能なアーム（Ａ５００）は枢軸関節構造（ＳＣ５００）が設けられている固定台（Ｃ１００）に連結され、別の一側のスイング可能なアーム（Ａ５００）はリング形ワッシャ（ＷＳ１００）への連結に供され、及び軸受け（Ｂ２００）を経て枢軸関節構造（ＳＣ５００）が設けられている固定台（Ｃ２００）に結合されてケーシング（Ｈ１００）の内側に連結し、遠心引き動き機構（ＦＣＤ１００）とケーシング（Ｈ１００）の間は回転可能な結合及び軸方向の抗張力機能があるものに表れ、遠心引き動き機構（ＦＣＤ１００）に設置されたリング形ワッシャ（ＷＳ１００）及び電機回転軸（Ｓ１００）との結合に供される固定台（Ｃ１００）の間には減速時は復帰に表れる軸方向の予力ばね（ＳＰ１００）が設けられることが可能であり、電機回転軸（Ｓ１００）とケーシング（Ｈ１００）の間には、結合される電機回転軸（Ｓ１００）が軸方向移行及び回転駆動を行うスリーブまたは軸受け（ＳＢ１００）が設けられ、軸方向移行及び回転駆動を行うスリーブまたは軸受け（ＳＢ１００）とケーシング（Ｈ１００）間の軸方向の位置固定を行うことが可能となり、電機回転軸（Ｓ１００）は軸方向移行の回転駆動機能だけを行い、電機回転子（Ｒ１００）及び電機回転軸（Ｓ１００）が発電機機能の運転または電動機機能の運転を行った場合、その回転速度に伴い、遠心引き動き機構（ＦＣＤ１００）は回転速度によって遠心力が変化し、及び軸方向の予力ばね（ＳＰ１００）の作用によって電機回転軸（Ｓ１００）が設定方向の軸方向移行を発生するよう駆動し、電機回転子（Ｒ１００）を軸方向に引き動かし、磁場形成構造（Ｆ１００）との間に相対設定の発電機または電動機機能が発生することを特徴とする請求項１に記載の遠心力によって回転子の軸方向作動の調整制御を行う電機。
【請求項６】
電機回転子（Ｒ１００）のケーシング（Ｈ１００）の外側に露出している電機回転軸（Ｓ１００）とケーシング（Ｈ１００）の間に電機回転軸（Ｓ１００）が軸方向移行を引き動かすことに供される遠心引き動き機構（ＦＣＤ１００）が設けられ、遠心引き動き機構（ＦＣＤ１００）には遠心塊（ＦＷ５００）が設けられ、遠心塊（ＦＷ５００）にはスイング可能なアーム（Ａ５００）の結合に供される枢軸関節構造（ＳＣ５００）が設けられ、その中の一側のスイング可能なアーム（Ａ５００）は固定台（Ｃ１００）に連結されて電機回転軸（Ｓ１００）に結合し、別の一側のスイング可能なアーム（Ａ５００）はリング形ワッシャ（ＷＳ１００）への連結し、軸受け（Ｂ２００）を経て、枢軸関節構造（ＳＣ５００）が設けられている固定台（Ｃ２００）に結合されて、ケーシング（Ｈ１００）の内側に連結し、遠心引き動き機構（ＦＣＤ１００）とケーシング（Ｈ１００）の間は回転可能な結合及び軸方向の抗張力機能があるものに表れ、遠心引き動き機構（ＦＣＤ１００）に設置されたリング形ワッシャ（ＷＳ１００）及び電機回転軸（Ｓ１００）との結合に供される固定台（Ｃ１００）の間には、減速時は復帰に表れる軸方向の予力ばね（ＳＰ１００）を設けることが可能であり、電機回転軸（Ｓ１００）とケーシング（Ｈ１００）の間には結合される電機回転軸（Ｓ１００）が軸方向移行及び回転駆動を行うスリーブまたは軸受け（ＳＢ１００）が設けられ、軸方向移行及び回転駆動を行うスリーブまたは軸受け（ＳＢ１００）とケーシング（Ｈ１００）間の軸方向の位置固定を行うことが可能であり、電機回転軸（Ｓ１００）は軸方向移行の回転駆動機能のみを行い、電機回転子（Ｒ１００）及び電機回転軸（Ｓ１００）が発電機機能の運転または電動機機能の運転を行った場合、その回転速度に伴い、遠心引き動き機構（ＦＣＤ１００）は回転速度によって遠心力が変化し、軸方向の予力ばね（ＳＰ１００）の作用によって電機回転軸（Ｓ１００）が設定方向の軸方向移行を発生するよう駆動し、更に進んで電機回転子（Ｒ１００）を軸方向に引き動かし、磁場形成構造（Ｆ１００）との間に相対設定の発電機または電動機機能が発生することを特徴とする請求項１に記載の遠心力によって回転子の軸方向作動の調整制御を行う電機。
【請求項７】
個別の磁場形成構造（Ｆ１００）を二つ個別の電機回転子に結合して両電機回転子の構造に構成可能であり、前記両電機回転子（Ｒ１００’）及び（Ｒ１００’’）と電機回転軸との間は固定結合、またはスプライン軸またはその他軸方向移行可能なキー溝構造（ＳＬ１００）、またはそれのキー溝状線性互動体の間に線性ローリングボールまたはローラ構造が設けられている電機回転軸であることが可能であり、それらは共用の単軸電機回転軸（Ｓ１００’’’）または二段個別の電機回転軸（Ｓ１００’）及び（Ｓ１００’’）から構成されたものを含み、
個別の両電機回転子（Ｒ１００）は個別の磁場形成構造（Ｆ１００）構造との結合に供され、個別の両電機回転子（Ｒ１００）は同じ特性または異なる特性の電機回転子構造であることも可能で、両電機回転子（Ｒ１００）が結合する磁場形成構造（Ｆ１００）も同じ特性または異なる特性の磁場形成構造が可能であり、必要によって選択的に個別の両電機回転軸（Ｓ１００’）及び（Ｓ１００’’）の間には、電力、磁力、機械力、人力、流体力、またはその他操作力によって操作制御される摩擦式または嵌め合わせ式クラッチ、または遠心式クラッチ等を含む操作制御可能な伝動装置を設け加えることが可能であり、回転エネルギーの伝動または遮断機能を行うクラッチから構成される操作制御可能なクラッチ（ＣＬ１００）に供され、両電機回転子が連結運転または個別の分離運転を行うようにすることを特徴とする請求項１に記載の遠心力によって回転子の軸方向作動の調整制御を行う電機。
【請求項８】
二組の磁場形成構造（Ｆ１００’）及び（Ｆ１００’’）、及び二組の電機回転子（Ｒ１００’）及び（Ｒ１００’’）を設けることが可能であり、二組の電機回転子（Ｒ１００’）及び（Ｒ１００’’）とケーシング（Ｈ１００）の間にはそれぞれ回転駆動の軸受け（Ｂ１００）が設けられ、二組の個別に電機回転子（Ｒ１００’）及び（Ｒ１００’’）の軸方向移行を引き動かすことに供される遠心引き動き機構（ＦＣＤ１００’）及び（ＦＣＤ１００’’）が設けられ、遠心引き動き機構（ＦＣＤ１００’）及び（ＦＣＤ１００’’）にはそれぞれ遠心塊（ＦＷ５００）が設けられ、遠心塊（ＦＷ５００）には両側のスイング可能なアーム（Ａ５００）の結合に供される枢軸関節構造（ＳＣ５００）が設けられ、個別のその一側のスイング可能なアーム（Ａ５００）はそれぞれ枢軸関節構造（ＳＣ５００）が設けられている固定台または電機回転子構造から一体に延伸して作られた固定台（Ｃ３００’）及び（Ｃ３００’’）に連結されて、それぞれ電機回転子（Ｒ１００’）及び（Ｒ１００’’）の引き動かしに供され、
電機回転子（Ｒ１００’）及び（Ｒ１００’’）の二組独立した電機回転軸（Ｓ１００’）及び（Ｓ１００’’）には、それぞれ減速時は復帰に表れる軸方向の予力ばね（ＳＰ１００’）及び（ＳＰ１００’’）が設置され、必要によってそれぞれ電機回転軸（Ｓ１００’）及び（Ｓ１００’’）に選択的に軸方向の定位置制限構造（Ｄ１００）が設置されることを特徴とする請求項１に記載の遠心力によって回転子の軸方向作動の調整制御を行う電機。
【請求項９】
二組の磁場形成構造（Ｆ１００’）及び（Ｆ１００’’）、及び二組の電機回転子（Ｒ１００’）及び（Ｒ１００’’）を設け、共同で一組の共用電機回転軸（Ｓ１００’’’）構造に結合することが可能であり、二組の電機回転子（Ｒ１００’）及び（Ｒ１００’’）の間には一組の共用の遠心引き動き機構（ＦＣＤ１００’’’）が設けられ、一組の共用の遠心引き動き機構（ＦＣＤ１００’’’）には遠心塊（ＦＷ５００）が設けられ、遠心塊（ＦＷ５００）には両側のスイング可能なアーム（Ａ５００）の結合に供される枢軸関節構造（ＳＣ５００）が設けられ、一側に連結されているスイング可能なアーム（Ａ５００）は枢軸関節構造（ＳＣ５００）が設けられている固定台または電機回転子構造から一体に延伸して作られた固定台（Ｃ３００’）に連結されて電機回転子（Ｒ１００’）に結合され、別の一側に連結されているスイング可能なアーム（Ａ５００）は枢軸関節構造（ＳＣ５００）が設けられている固定台または電機回転子構造から一体に延伸して作られた固定台（Ｃ３００’’）に連結され、それによって電機回転子（Ｒ１００’’）の結合に供され、電機回転子（Ｒ１００’）及び（Ｒ１００’’）は一組の共用の遠心引き動き機構（ＦＣＤ１００’’’）と予力ばね（ＳＰ１００’’’）の作用により、共同で電機回転子（Ｒ１００’）及び（Ｒ１００’’）が軸方向の調整制御移行を行うよう駆動し、個別の電機回転子（Ｒ１００’）及び（Ｒ１００’’）と結合する電機回転軸（Ｓ１００’’’）の間にはスプライン軸またはその他軸方向移行が可能にキー溝構造（ＳＬ１００）が設けられ、キー溝状線性互動体の間には線性ローリングボールまたはローラ構造が設けられていることを特徴とする請求項１に記載の遠心力によって回転子の軸方向作動の調整制御を行う電機。
【請求項１０】
共用電機回転軸（Ｓ１００’’’）と電機回転子（Ｒ１００’）の間に、スプライン軸またはその他軸方向移行可能なキー溝構造（ＳＬ１００）が保留して設けられ、キー溝状線性互動体の間に線性ローリングボールまたはローラ構造が設けられ、電機回転子（Ｒ１００’’）とは直接結合であり、一組の共用の遠心引き動き機構（ＦＣＤ１００’’’）と予力ばね（ＳＰ１００’’’）の作用により、単独に電機回転子（Ｒ１００’）が軸方向の調整制御移行を行うよう駆動することを特徴とする請求項９に記載の遠心力によって回転子の軸方向作動の調整制御を行う電機。
【請求項１１】
二組の独立した電機回転軸（Ｓ１００’）及び（Ｓ１００’’）の間には二組の磁場形成構造（Ｆ１００’）及び（Ｆ１００’’）及び二組の電機回転子（Ｒ１００’）及び（Ｒ１００’’）を設け、電機回転軸（Ｓ１００’）及び（Ｓ１００’’）の間には必要によって選択的に操作制御可能なクラッチ（ＣＬ１００）を設置可能であり、操作制御可能なクラッチ（ＣＬ１００）は電力、磁力、機械力、人力、流体力または、その他操作力によって操作制御される摩擦式または嵌め合わせ式クラッチ、または遠心式クラッチ等を含む回転エネルギーの伝動または遮断機能を行うことに供されるクラッチから構成されるものを含み、それによって二組の電機回転子（Ｒ１００’）及び（Ｒ１００’’）が駆動され、電機回転軸（Ｓ１００’）及び（Ｓ１００’’）の間で分離独立駆動または連結共同駆動を行うことを特徴とする請求項８に記載の遠心力によって回転子の軸方向作動の調整制御を行う電機。
【請求項１２】
二組の磁場形成構造（Ｆ１００’）及び（Ｆ１００’’）、及び二組の電機回転子（Ｒ１００’）及び（Ｒ１００’’）、及び二組の電機回転軸（Ｓ１００’）及び（Ｓ１００’’）を設けることが可能であり、二組の電機回転子（Ｒ１００’）及び（Ｒ１００’’）とケーシング（Ｈ１００）の間にはそれぞれ回転駆動の軸受け（Ｂ１００）が設けられ、遠心引き動き機構（ＦＣＤ１００’）及び（ＦＣＤ１００’’）はそれぞれケーシング（Ｈ１００）と両電機回転子（Ｒ１００’）及び（Ｒ１００’’）の間に設置され、両電機回転軸（Ｓ１００’）及び（Ｓ１００’’）は二組の独立した電機回転軸から構成され、遠心引き動き機構（ＦＣＤ１００’）及び（ＦＣＤ１００’’）にはそれぞれ遠心塊（ＦＷ５００）が設けられ、遠心塊（ＦＷ５００）には両側のスイング可能なアーム（Ａ５００）の結合に供される枢軸関節構造（ＳＣ５００）が設けられ、個別の遠心塊（ＦＷ５００）の一側に連結されるスイング可能なアーム（Ａ５００）はそれぞれ枢軸関節構造（ＳＣ５００）が設けられている固定台または電機回転子構造から一体に延伸して作られた固定台（Ｃ３００’）及び（Ｃ３００’’）に連結されて、それぞれ電機回転子（Ｒ１００’）及び（Ｒ１００’’）との結合に供され、個別の遠心塊（ＦＷ５００）の他側はリング形ワッシャ（ＷＳ１００’）及び（ＷＳ１００’’）により、軸受け（Ｂ２００’）及び（Ｂ２００’’）を経て枢軸関節構造（ＳＣ５００）が設けられている固定台（Ｃ２００’）及び（Ｃ２００’’）に結合されてケーシング（Ｈ１００）に連結し、ケーシング（Ｈ１００）と回転可能な結合及び軸方向抗張力のある機能に表れ、二組の固定台（Ｃ３００’）及び（Ｃ３００’’）と二組のリング形ワッシャ（ＷＳ１００’）及び（ＷＳ１００’’）との間には予力ばね（ＳＰ１００’）及び（ＳＰ１００’’）が設けられ、必要によって選択的に二組の電機回転軸（Ｓ１００’）及び（Ｓ１００’’）に軸方向定位置制限構造体（Ｄ１００）を設置することが可能であり、個別の電機回転子（Ｒ１００’）及び（Ｒ１００’’）と結合される電機回転軸（Ｓ１００’）及び（Ｓ１００’’）の間には、スプライン軸またはその他軸方向移行可能なキー溝構造（ＳＬ１００）が設けられ、キー溝状線性互動体の間に線性ローリングボールまたはローラ構造が設けられ、
遠心引き動き機構（ＦＣＤ１００’）及び（ＦＣＤ１００’’）は、速度の変化に伴う遠心力及び軸方向の予力ばね（ＳＰ１００’）及び（ＳＰ１００’’）の作用により、それぞれ電機回転子（Ｒ１００’）及び（Ｒ１００’’）が軸方向の調整制御移行を行うよう駆動することを特徴とする請求項１に記載の遠心力によって回転子の軸方向作動の調整制御を行う電機。
【請求項１３】
二組の磁場形成構造（Ｆ１００’）及び（Ｆ１００’’）、及び二組の電機回転子（Ｒ１００’）及び（Ｒ１００’’）が設けられて単独の共用電機回転軸（Ｓ１００’’’）から構成可能であり、並びに二組の遠心引き動き機構（ＦＣＤ１００’）及び（ＦＣＤ１００’’）によってそれぞれ両電機回転子（Ｒ１００’）及び（Ｒ１００’’）とケーシング（Ｈ１００）の間に結合し、遠心引き動き機構（ＦＣＤ１００’）及び（ＦＣＤ１００’’）にはそれぞれ遠心塊（ＦＷ５００）が設けられ、遠心塊（ＦＷ５００）には両側のスイング可能なアーム（Ａ５００）の結合に供される枢軸関節構造（ＳＣ５００）が設けられ、個別の遠心塊（ＦＷ５００）の一側に連結されるスイング可能なアーム（Ａ５００）はそれぞれ枢軸関節構造（ＳＣ５００）が設けられている固定台または電機回転子構造から一体に延伸して作られた固定台（Ｃ３００’）及び（Ｃ３００’’）に連結されてそれぞれ電機回転子（Ｒ１００’）及び（Ｒ１００’’）との結合に供され、
個別の遠心塊（ＦＷ５００）の他側はリング形ワッシャ（ＷＳ１００’）及び（ＷＳ１００’’）により、軸受け（Ｂ２００’）及び（Ｂ２００’’）を経て枢軸関節構造（ＳＣ５００）が設けられている固定台（Ｃ２００’）及び（Ｃ２００’’）に結合されてケーシング（Ｈ１００）に連結し、ケーシング（Ｈ１００）と回転可能な結合及び軸方向抗張力のある機能に表れ、個別の電機回転子（Ｒ１００’）及び（Ｒ１００’’）と結合される共用電機回転軸（Ｓ１００’’’）にはスプライン軸またはその他軸方向移行可能なキー溝構造（ＳＬ１００）が設けられ、またはそのキー溝状線性互動体の間に線性ローリングボールまたはローラ構造が設けられ、遠心引き動き機構（ＦＣＤ１００’）及び（ＦＣＤ１００’’）及びリング形ワッシャ（ＷＳ１００’）及び（ＷＳ１００’’）と固定台（Ｃ２００’）及び（Ｃ２００’’）の間の軸方向の予力ばね（ＳＰ１００’）及び（ＳＰ１００’’）により、電機回転子（Ｒ１００’）及び（Ｒ１００’’）が軸方向の調整制御移行を行うよう駆動することを特徴とする請求項１に記載の遠心力によって回転子の軸方向作動の調整制御を行う電機。
【請求項１４】
共用電機回転軸（Ｓ１００’’’）と電機回転子（Ｒ１００’）の間に、スプライン軸またはその他軸方向移行が可能なキー溝構造（ＳＬ１００）が保留して設けられ、キー溝状線性互動体の間に線性ローリングボールまたはローラ構造が設けられ、電機回転子（Ｒ１００’’）とは直接結合し、一組の共用の遠心引き動き機構（ＦＣＤ１００’’’）と予力ばね（ＳＰ１００’’’）の作用により、単独に電機回転子（Ｒ１００’）が軸方向の調整制御移行を行うよう駆動することを特徴とする請求項１３に記載の遠心力によって回転子の軸方向作動の調整制御を行う電機。
【請求項１５】
二組の独立した電機回転軸（Ｓ１００’）及び（Ｓ１００’’の間には、二組の磁場形成構造（Ｆ１００’）及び（Ｆ１００’’）、ならびに二組の電機回転子（Ｒ１００’）及び（Ｒ１００’’）を設け、電機回転軸（Ｓ１００’）及び（Ｓ１００’’）の間には必要によって選択的に操作制御可能なクラッチ（ＣＬ１００）を設置可能であり、操作制御可能なクラッチ（ＣＬ１００）は電力、磁力、機械力、人力、流体力その他操作力によって操作制御される摩擦式または嵌め合わせ式クラッチ、または遠心式クラッチ等を含む回転エネルギーの伝動または遮断機能を行うことに供されるクラッチから構成されるものを含み、それによって二組の電機回転子（Ｒ１００’）及び（Ｒ１００’’）が駆動する電機回転軸（Ｓ１００’）及び（Ｓ１００’’）の間に対して分離独立駆動または連結共同駆動を行うことを特徴とする請求項１に記載の遠心力によって回転子の軸方向作動の調整制御を行う電機。
【請求項１６】
二組の磁場形成構造（Ｆ１００’）及び（Ｆ１００’’）及び二組の電機回転軸（Ｓ１００’）及び（Ｓ１００’’）が設けられ、並びに二組の請求項４に記載の直列共同構造に表れる電機回転子（Ｒ１００’）及び（Ｒ１００’’）を設け、電機回転軸（Ｓ１００’）及び（Ｓ１００’’）の間には操作制御可能なクラッチ（ＣＬ１００）を設けることが可能であり、操作制御可能なクラッチ（ＣＬ１００）は電力、磁力、機械力、人力、流体力、またはその他操作力によって操作制御される摩擦式または嵌め合わせ式クラッチ、または遠心式クラッチ等を含む回転エネルギーの伝動または遮断機能を行うことに供されるクラッチから構成され、それによって二組の電機回転子（Ｒ１００’）及び（Ｒ１００’’）が駆動する電機回転軸（Ｓ１００’）及び（Ｓ１００’’）の間に対して分離独立駆動または連結共同駆動を行うことを特徴とする請求項１に記載の遠心力によって回転子の軸方向作動の調整制御を行う電機。
【請求項１７】
二組の磁場形成構造（Ｆ１００’）及び（Ｆ１００’’）及び二組の電機回転軸（Ｓ１００’）及び（Ｓ１００’’）が設けられ、並びに二組の請求項５に記載の二組の直列共同構造に表れる回転電機で、電機回転子（Ｒ１００’及び（Ｒ１００’’）の電機回転軸（Ｓ１００’）及び（Ｓ１００’’）の間には操作制御可能なクラッチ（ＣＬ１００）を設けることが可能であり、操作制御可能なクラッチ（ＣＬ１００）は電力、磁力、機械力、人力、流体力、またはその他操作力によって操作制御される摩擦式または嵌め合わせ式クラッチ、または遠心式クラッチ等を含む回転エネルギーの伝動または遮断機能を行うことに供されるクラッチから構成され、それによって二組の電機回転子（Ｒ１００’）及び（Ｒ１００’’）が駆動する電機回転軸（Ｓ１００’）及び（Ｓ１００’’）の間に対して分離独立駆動または連結共同駆動を行うことを特徴とする請求項１に記載の遠心力によって回転子の軸方向作動の調整制御を行う電機。
【請求項１８】
二組の磁場形成構造（Ｆ１００’）及び（Ｆ１００’’）及び二組の電機回転軸（Ｓ１００’）及び（Ｓ１００’’）が設けられ、並びに二組の請求項６に記載の二組の直列共同構造に表れる回転電機で、電機回転子（Ｒ１００’）及び（Ｒ１００’’）の電機回転軸（Ｓ１００’）及び（Ｓ１００’’）の間には操作制御可能なクラッチ（ＣＬ１００）を設けることが可能であり、操作制御可能なクラッチ（ＣＬ１００）は電力、磁力、機械力、人力、流体力、またはその他操作力によって操作制御される摩擦式または嵌め合わせ式クラッチ、または遠心式クラッチ等を含む回転エネルギーの伝動または遮断機能を行うことに供されるクラッチから構成され、それによって二組の電機回転子（Ｒ１００’）及び（Ｒ１００’’）が駆動する電機回転軸（Ｓ１００’）及び（Ｓ１００’’）の間に対して分離独立駆動または連結共同駆動を行うことを特徴とする請求項１に記載の遠心力によって回転子の軸方向作動の調整制御を行う電機。
【請求項１９】
二組の回転子には、両電機回転子及び個別または共用磁場形成構造のある回転電機が使用可能で、その二組の電機回転子はそれぞれ請求項２、請求項３、請求項４、請求項５、請求項６、請求項７、請求項８、請求項９、請求項１０、請求項１１、請求項１２、請求項１３、請求項１４、請求項１５、請求項１６、請求項１７または請求項１８中の二組の同一または異なる構造形態が混合して構成されることを特徴とする請求項１に記載の遠心力によって回転子の軸方向作動の調整制御を行う電機。
【請求項２０】
二組の回転子には、両電機回転子及び個別または共用磁場形成構造のある回転電機を使用可能で、その二組の電機回転子中の一つは請求項２、請求項３、請求項４、請求項５または請求項６中の如何なる一種の構造形態の異なる両電機回転子から構成され、別の電機回転子は一般の軸方向移行を行うことができない電機回転子、またはその他構造形態の軸方向の作動移行を行う電機回転子から構成されることを特徴とする請求項１に記載の遠心力によって回転子の軸方向作動の調整制御を行う電機。
【請求項２１】
二組の回転子には、両電機回転子及び個別または共用磁場形成構造のある両共構型回転電機を使用可能であり、それは両者とも発電機または両者とも電動機、または一組が発電機または別の組が電動機の構造を含むことを特徴とする請求項１に記載の遠心力によって回転子の軸方向作動の調整制御を行う電機。
【請求項２２】
電機回転子（Ｒ１００）と磁場形成構造（Ｆ１００）の電磁効能の構造面の、電機回転子の鉄芯の軸方向積厚は磁場形成構造の軸方向積厚より大きいまたは等しいあるいは小さいことを特徴とする請求項１に記載の遠心力によって回転子の軸方向作動の調整制御を行う電機。
【請求項２３】
電機回転子と磁場形成構造間に発生する軸方向移行の発電機または電動機機能の調整制御方式は、調整制御可能な発電機の電圧、電流、周波数等入力対出力の線性等特性、及び調整制御可能な電動機の回転速度、トルク、同調または不同調等入力対出力の線性等特性を含むことを特徴とする請求項１に記載の遠心力によって回転子の軸方向作動の調整制御を行う電機。
【請求項２４】
遠心力を回転子の軸方向作動の調整制御を行う構造として、磁場形成構造磁極の軸方向厚さが電機回転子磁極の軸方向厚さより大きい場合、電機性能の調整制御方式は電機回転子磁極と磁場形成構造が遠心力によって軸方向の相対移行が発生する際に、固定特性のある電機回転子が異なる磁通密度または異なる隙間、または異なる磁極または異なる励磁方式またはその他異なる電機物理特性の構造形態、異なる電機特性の磁場形成構造に結合され、それによって必要な発電機または電動機の運転及び出力特性が発生することを特徴とする請求項１に記載の遠心力によって回転子の軸方向作動の調整制御を行う電機。
【請求項２５】
整流子式電機から構成された場合、電機回転子磁極の軸方向厚さが磁場形成構造磁極の厚さより小さければ、整流子式電動子（ＡＲＭ１００）は軸方向作動の調整制御の移行に合わせて特定の軸方向に延長する整流子（ＣＭ１００）を設置し、ブラシ（ＢＵ１００）の結合範囲を大きくし、異なる構造形態または異なる電機特性の磁場形成構造（Ｆ１００’’’）との組み合わせに供され、遠心引き動き機構（ＦＣＤ１００）によって軸方向の引き動かし移行を行うことに於いて、相対した異なる電機特性が発生することを特徴とする請求項１に記載の遠心力によって回転子の軸方向作動の調整制御を行う電機。
【請求項２６】
遠心力によって回転子の軸方向作動の調整制御を行う構造は、電機回転子磁極の軸方向厚さが磁場形成構造磁極の厚さより大きい場合、電機性能の調整制御方式では電機回転子と磁場形成構造が遠心引き動き機構（ＦＣＤ１００）によって軸方向の引き動かし移行が発生し、磁場形成構造が結合する電機回転子には軸方向の異なる電機特性の多段ループのかご式回転子構造の電機回転子（Ｒ１００’’’）を採用し、各段かご式回転子構造はかご式導体数、断面積、導電係数、埋め込み深さ、断面形状と磁場形成構造隙間の大きさ等を含むパラメータを選定し、それによって磁場形成構造と電機回転子に発生する軸方向の移行中では相対する異なった電機特性に表れることを特徴とする請求項１に記載の遠心力によって回転子の軸方向作動の調整制御を行う電機。
【請求項２７】
電機回転子構造はコイルの励磁による回転子、または永久磁石式または凸極式または磁滞式または渦流式回転子から構成され、磁場形成構造及び電機回転子の外径及び内径寸法の選定により、遠心引き動き機構（ＦＣＤ１００）が電機回転子を引き動かして軸方向の引き動かしを行う中で、磁場形成構造と電機回転子の隙間には軸方向に沿う変化が発生することを特徴とする請求項１に記載の遠心力によって回転子の軸方向作動の調整制御を行う電機。
【請求項２８】
同様または異なった交流または直流、ブラシ付きまたブラシなし回転磁場形成構造及び電機回転子構造、及び磁場形成構造及び電機回転子の軸方向に沿って異なる位置の寸法を選定することにより、同様または異なる内径または外径を有し、磁場形成構造または電機回転子が同様または異なる電機特性または構造の電機回転子から構成され、選定されて必要な発電機または電動機の運転及び出力の特性を獲得することを特徴とする請求項１に記載の遠心力によって回転子の軸方向作動の調整制御を行う電機。
【請求項２９】
電機回転子は一体で構成されることが可能であり、磁場形成構造と異なる軸方向の相対位置に表れる運転状態に於いて、磁場形成構造と異なる軸方向の結合位置の仕事段の電磁特性は同一または異なっていることが可能であり、電機回転子は一体に構成され、または多数組の電機特性の異なる少なくとも二つの電機回転子構造が軸方向の重ね合いに表れて構成されたものでも可能であることを特徴とする請求項１に記載の遠心力によって回転子の軸方向作動の調整制御を行う電機。
【請求項３０】
磁場形成構造は一体で構成されることが可能であり、電機回転子と異なる軸方向の結合位置の仕事段は同じ電機特性または異なった電機特性でもよく、磁場形成構造は一体に構成され、または多数組の電機特性の異なり少なくとも二つの磁場形成構造が軸方向の重ね合いに表れて構成されたものでも可能であることを特徴とする請求項１に記載の遠心力によって回転子の軸方向作動の調整制御を行う電機。
【請求項３１】
電機回転子と磁場形成構造両者の機械的相対移行の駆動関係は、外電機回転子回転型に表れた電機構造、内電機回転子回転型に表れた電機構造、または磁場構造と電機回転子に表れて両者とも回転可能な双動型の構造を含むことを特徴とする請求項１に記載の遠心力によって回転子の軸方向作動の調整制御を行う電機。
【請求項３２】
円筒状回転電機に表れた構造、または錘状回転電機に表れた構造を含むことを特徴とする請求項１に記載の遠心力によって回転子の軸方向作動の調整制御を行う電機。
【発明の詳細な説明】
【０００１】
【発明の属する技術分野】
本発明は遠心力によって回転子の軸方向作動の調整制御を行う電機に関する。
【０００２】
【従来の技術】
市販されている周知の回転電機の商品の中には錐形電機回転子によって錐孔型磁場形成構造と結合し、スタート時は両者の軸方向電磁吸引力によって軸方向の平常態閉鎖の制動装置を駆動し、それの機能は操作制御の平常態閉鎖の制動装置とする軸方向駆動の動力源である。
【０００３】
【発明が解決しようとする課題】
しかしながら、上述の電機の電機特性は依然単一特性である。
したがって本発明の目的は、多種の電機特性を表すことが可能な、遠心力によって回転子の軸方向作動の調整制御を行う電機を提供することにある。
【０００４】
【課題を解決するための手段】
上述の目的を達成するために本発明の請求項１に記載の遠心力によって回転子の軸方向作動の調整制御を行う電機は、回転電機の電機回転軸と電機回転子との間、または電機回転子とケーシングとの間、または回転軸とケーシングとの間に、遠心力によって軸方向の引き動かしを行う構造が設けられる。軸方向の予力ばねが設置され、並びに電機回転軸に対して選択性に軸方向の定位置制限構造体を設置し、電機回転子の回転速度の速さ状態によって電機回転子の相対軸方向の移行を調整制御する。更に進んで電機回転子と磁場形成構造間の電機特性を調整制御するもので、それの主要構成として、交流または直流発電機または電動機の磁場形成構造から構成された磁場形成構造Ｆ１００を備える。磁場形成構造Ｆ１００の構造形態は、磁場形成構造の磁極と電機回転子間に平常態の安定した平均分布の磁場を形成するＦ１、または磁場形成構造の磁極と電機回転子との間の軸方向片側または両側に異なる強度分布の磁場を形成するＦ２、または磁場形成構造の磁極と電機回転子との間の軸方向片側または両側に電機回転子と違う隙間があるＦ３、または磁場形成構造の磁極と電機回転子との間の軸方向片側または両側に、多数の永久磁石による磁極、または励磁コイル（Ｗ１００）の励磁による磁極を形成するもの、若しくは多数個の永久磁石による磁極と励磁コイル（Ｗ１００）の励磁による磁極の両者を混合して、磁場形成構造と電機回転子との間の軸方向に直列して形成するＦ４の少なくともひとつを含む。
【０００５】
各種従来の交流または直流発電機または電動機の永久磁石型、凸極型、磁滞型、コイル励磁型、整流子型、渦流型、かご型等各種交流または直流のブラシ付きまたはブラシなし、同調または不同調回転子が単独または混合して構成された電機回転子Ｒ１００を備える。従来の遠心力によって軸方向の引き動き力が発生する機構から構成され、並びに減速時は復帰に表れる軸方向の予力ばねＳＰ１００が設けられ、電機回転子の回転速度に伴って電機回転子が相対の軸方向移行を行うよう引き動かす。それをもって電機回転子Ｒ１００と磁場形成構造Ｆ１００相対位置を変え、電機回転子Ｒ１００と磁場形成構造Ｆ１００の間に相対に設定した発電機または電動機の特性が発生する遠心引き動き機構ＦＣＤ１００を備える。
【０００６】
本発明の請求項２に記載の遠心力によって回転子の軸方向作動の調整制御を行う電機は、遠心力によって回転子の軸方向作動の調整制御を行う電機遠心力によって回転子の軸方向作動の調整制御を行う電機電機回転軸Ｓ１００とケーシングＨ１００の間には軸受けＢ１００が設けられる。電機回転子Ｒ１００と電機回転軸Ｓ１００の間には回転伝動及び軸方向移行可能な構造、スプライン軸またはその他軸方向移行可能なキー溝構造ＳＬ１００が設けられる。また更に進んでそのキー溝状の線性互動体の間に線性ローリングボールまたはロール構造が設けられる。電機回転子Ｒ１００及び電機回転軸Ｓ１００の間に遠心引き動き機構ＦＣＤ１００が設けられ、遠心引き動き機構ＦＣＤ１００には遠心塊ＦＷ５００が設けられる。遠心塊ＦＷ５００には両側のスイング可能なアームＡ５００の結合に供される枢軸関節構造ＳＣ５００が設けられる。一側のスイング可能なアームＡ５００は枢軸関節構造ＳＣ５００が設けられている固定台Ｃ１００に連結される。別の一側のスイング可能なアームＡ５００は、枢軸関節構造ＳＣ５００が設けられて電機回転子  Ｒ１００との結合に供される固定台（または電機回転子構造から一体に延伸して作られた固定台）Ｃ３００に連結され、電機回転軸Ｓ１００の固定台Ｃ１００と電機回転子Ｒ１００の間には減速時は復帰に表れる軸方向の予力ばねＳＰ１００が設けられる。
【０００７】
電機回転軸Ｓ１００には選択的に軸方向の定位置制限構造体Ｄ１００が設置される。電機回転子Ｒ１００により発電機機能の運転または電動機機能の運転を行った場合、電機回転子Ｒ１００の回転速度によって遠心引き動き機構ＦＣＤ１００が回転速度に伴って遠心力が変化するよう操作制御する。更に進んで電機回転子が設定方向の軸方向移行を行うよう駆動し、それによって電機回転子Ｒ１００と磁場形成構造Ｆ１００の間に相対設定の発電機または電動機機能が発生する。
【０００８】
本発明の請求項３に記載の遠心力によって回転子の軸方向作動の調整制御を行う電機は、遠心引き動き機構ＦＣＤ１００は電機回転子  Ｒ１００及びケーシングＨ１００の間に設置することに供される。並びに回転結合可能及び軸方向抗張力機能のあるものに表れる。電機回転子Ｒ１００と電機回転軸Ｓ１００の間にはスプライン軸、またはその他軸方向移行可能なキー溝構造ＳＬＺ１００が設けられる。更に進んでそのキー溝状の線性互動体の間に線性ローリングボールまたはロール構造が設けられ、遠心引き動き機構ＦＣＤ１００の一側は枢軸関節構造ＳＣ５００に連結されて両側のスイング可能なアームＡ５００と連結する。
【０００９】
その中の一側のスイング可能なアームＡ５００は電機回転子との結合に供される固定台（または電機回転子構造から一体に延伸して作られた固定台）Ｃ３００に連結される。別の一側のスイング可能なアームＡ５００は枢軸関節構造ＳＣ５００が設けられているリング形ワッシャＷＳ１００に連結される。軸受けＢ２００を経て固定台Ｃ２００に連結し、ケーシングＨ１００と回転可能な結合及び軸方向の抗張力機能があるものに表れる。遠心引き動き機構ＦＣＤ１００のリング形ワッシャＷＳ１００と電機回転子Ｒ１００との結合に供される固定台Ｃ３００の間には、減速時は復帰に表れる軸方向の予力ばねＳＰ１００が設けられる。
【００１０】
電機回転軸には軸方向の定位置制限構造体Ｄ１００が設置され、電機回転軸Ｓ１００とケーシングＨ１００の間には結合された電機回転軸Ｓ１００が回転駆動を行う軸受けＢ１００が設けられる。電機回転子Ｒ１００及び電機回転軸Ｓ１００が発電機機能の運転または電動機機能の運転を行った場合、それの回転速度によって遠心引き動き機構ＦＣＤ１００は回転速度に伴って遠心力が変化するよう操作制御する。更に電機回転子Ｒ１００は電機回転軸Ｓ１００に沿って設定方向の軸方向移行が発生するよう駆動し、並びに磁場形成構造Ｆ１００と相対設定の発電機または電動機機能が発生する。
【００１１】
本発明の請求項４に記載の遠心力によって回転子の軸方向作動の調整制御を行う電機は、遠心引き動き機構ＦＣＤ１００は電機回転子Ｒ１００及びケーシングＨ１００の間に設置することに供され、回転結合可能及び軸方向抗張力機能のあるものに表れる。電機回転子Ｒ１００と電機回転軸Ｓ１００は結合し、遠心引き動き機構ＦＣＤ１００の一側は枢軸関節構造ＳＣ５００に連結されて両側のスイング可能なアームＡ５００と連結する。その中の一側のスイング可能なアームＡ５００は電機回転子との結合に供される固定台（または電機回転子構造から一体に延伸して作られた固定台）Ｃ３００に連結されて電機回転子と結合する。別の一側はスイング可能なアームＡ５００によって枢軸関節構造ＳＣ５００が設けられているリング形ワッシャＷＳ１００に連結される。軸受けＢ２００を経て固定台Ｃ２００に連結し、ケーシングＨ１００と回転可能な結合及び軸方向の抗張力機能があるものに表れる。
【００１２】
遠心引き動き機構ＦＣＤ１００のリング形ワッシャＷＳ１００と電機回転子Ｒ１００との結合に供される固定台Ｃ３００の間には減速時は復帰可能な軸方向の予力ばねＳＰ１００が設けられる。電機回転軸には軸方向の定位置制限構造体Ｄ１００が設置される。電機回転軸Ｓ１００とケーシングＨ１００の間には結合された電機回転軸Ｓ１００が軸方向移行及び回転駆動を行うスリーブまたは軸受けＢ１００が設けられ、軸方向移行または回転駆動を行うスリーブまたは軸受けＢ１００とケーシングＨ１００との間の軸方向の位置固定を行うことが可能である。それによって電機回転子Ｒ１００及び電機回転軸Ｓ１００により発電機機能の運転または電動機機能の運転を行った場合、回転速度に伴って遠心引き動き機構ＦＣＤ１００は遠心力が変化するよう操作制御する。更に進んで電機回転子に設定方向の軸方向移行が発生するよう駆動し、磁場形成構造Ｆ１００と相対設定の発電機または電動機機能が発生する。
【００１３】
本発明の請求項５に記載の遠心力によって回転子の軸方向作動の調整制御を行う電機は、電機回転子Ｒ１００の電機回転軸Ｓ１００とケーシングＨ１００内側の間には電機回転軸Ｓ１００が軸方向移行を引き動かすことに供される遠心引き動き機構ＦＣＤ１００が設けられる。遠心引き動き機構ＦＣＤ１００には遠心塊ＦＷ５００が設けられ、遠心塊ＦＷ５００には両側のスイング可能なアームＡ５００の結合に供される枢軸関節構造ＳＣ５００が設けられる。その中の一側のスイング可能なアームＡ５００は枢軸関節構造ＳＣ５００が設けられている固定台Ｃ１００に連結される。別の一側のスイング可能なアームＡ５００はリング形ワッシャＷＳ１００への連結に供される。軸受けＢ２００を経て枢軸関節構造ＳＣ５００が設けられている固定台Ｃ２００に結合されてケーシングＨ１００の内側に連結する。遠心引き動き機構ＦＣＤ１００とケーシングＨ１００の間は回転可能な結合及び軸方向の抗張力機能があるものに表れる。遠心引き動き機構ＦＣＤ１００に設置されたリング形ワッシャＷＳ１００及び電機回転軸Ｓ１００との結合に供される固定台Ｃ１００の間には減速時は復帰に表れる軸方向の予力ばねＳＰ１００が設けられることも可能である。電機回転軸Ｓ１００とケーシングＨ１００の間には、結合される電機回転軸Ｓ１００が軸方向移行及び回転駆動を行うスリーブまたは軸受けＳＢ１００が設けられる。軸方向移行及び回転駆動を行うスリーブまたは軸受けＳＢ１００とケーシングＨ１００間の軸方向の位置固定を行うことが可能となり、電機回転軸Ｓ１００は軸方向移行の回転駆動機能だけを行う。電機回転子Ｒ１００及び電機回転軸Ｓ１００が発電機機能の運転または電動機機能の運転を行った場合、その回転速度に伴い、遠心引き動き機構ＦＣＤ１００は回転速度によって遠心力が変化する。軸方向の予力ばねＳＰ１００の作用によって電機回転軸Ｓ１００が設定方向の軸方向移行を発生するよう駆動し、更に進んで電機回転子Ｒ１００を軸方向に引き動かす。磁場形成構造Ｆ１００との間に相対設定の発電機または電動機機能が発生する。
【００１４】
本発明の請求項６に記載の遠心力によって回転子の軸方向作動の調整制御を行う電機は、電機回転子Ｒ１００のケーシングＨ１００の外側に露出している電機回転軸Ｓ１００とケーシングＨ１００の間に電機回転軸Ｓ１００が軸方向移行を引き動かすことに供される遠心引き動き機構ＦＣＤ１００が設けられる。遠心引き動き機構ＦＣＤ１００には遠心塊ＦＷ５００が設けられ、遠心塊ＦＷ５００にはスイング可能なアームＡ５００の結合に供される枢軸関節構造ＳＣ５００が設けられる。その中の一側のスイング可能なアームＡ５００は固定台Ｃ１００に連結されて電機回転軸Ｓ１００に結合する。別の一側のスイング可能なアームＡ５００はリング形ワッシャＷＳ１００への連結し、軸受けＢ２００を経て、枢軸関節構造ＳＣ５００が設けられている固定台Ｃ２００に結合されて、ケーシングＨ１００の内側に連結する。遠心引き動き機構ＦＣＤ１００とケーシングＨ１００の間は回転可能な結合及び軸方向の抗張力機能があるものに表れる。遠心引き動き機構ＦＣＤ１００に設置されたリング形ワッシャＷＳ１００及び電機回転軸Ｓ１００との結合に供される固定台Ｃ１００の間には、減速時は復帰に表れる軸方向の予力ばねＳＰ１００を設けることも可能である。電機回転軸Ｓ１００とケーシングＨ１００の間には結合される電機回転軸Ｓ１００が軸方向移行及び回転駆動を行うスリーブまたは軸受けＳＢ１００が設けられる。軸方向移行及び回転駆動を行うスリーブまたは軸受けＳＢ１００とケーシングＨ１００間の軸方向の位置固定を行うことが可能である。電機回転軸Ｓ１００は軸方向移行の回転駆動機能のみを行い、電機回転子Ｒ１００及び電機回転軸Ｓ１００が発電機機能の運転または電動機機能の運転を行った場合、その回転速度に伴い、遠心引き動き機構ＦＣＤ１００は回転速度によって遠心力が変化し、軸方向の予力ばねＳＰ１００の作用によって電機回転軸Ｓ１００が設定方向の軸方向移行を発生するよう駆動する。更に進んで電機回転子Ｒ１００を軸方向に引き動かし、磁場形成構造Ｆ１００との間に相対設定の発電機または電動機機能が発生する。
【００１５】
本発明の請求項７に記載の遠心力によって回転子の軸方向作動の調整制御を行う電機は、個別の磁場形成構造Ｆ１００を二つ個別の電機回転子に結合して両電機回転子の構造に構成可能である。前記両電機回転子Ｒ１００’及びＲ１００’’と電機回転軸との間は固定結合、またはスプライン軸またはその他軸方向移行可能なキー溝構造ＳＬ１００、または更に進んでそれのキー溝状線性互動体の間に線性ローリングボールまたはローラ構造が設けられている電機回転軸であることが可能である。それらは共用の単軸電機回転軸Ｓ１００’’’または二段個別の電機回転軸Ｓ１００’及びＳ１００’’から構成されたものを含む。
【００１６】
前記個別の両電機回転子Ｒ１００は個別の磁場形成構造Ｆ１００構造との結合に供され、個別の両電機回転子Ｒ１００は同じ特性または異なる特性の電機回転子構造であることも可能である。両電機回転子Ｒ１００が結合する磁場形成構造Ｆ１００も同じ特性または異なる特性の磁場形成構造が可能である。必要によって更に選択的に個別の両電機回転軸Ｓ１００’及びＳ１００’’の間には、電力、磁力、機械力、人力、流体力、またはその他操作力によって操作制御される摩擦式または嵌め合わせ式クラッチ、または遠心式クラッチ等を含む各種操作制御可能な伝動装置を設け加えることが可能である。回転エネルギーの伝動または遮断機能を行うクラッチから構成される操作制御可能なクラッチＣＬ１００に供され、両電機回転子が連結運転または個別の分離運転を行うようにする。
【００１７】
本発明の請求項８に記載の遠心力によって回転子の軸方向作動の調整制御を行う電機は、二組の磁場形成構造Ｆ１００’及びＦ１００’’、及び二組の電機回転子Ｒ１００’及びＲ１００’’を設けることが可能である。二組の電機回転子Ｒ１００’及びＲ１００’’とケーシングＨ１００の間にはそれぞれ回転駆動の軸受けＢ１００が設けられる。二組の個別に電機回転子Ｒ１００’及びＲ１００’’の軸方向移行を引き動かすことに供される遠心引き動き機構ＦＣＤ１００’及びＦＣＤ１００’’が設けられる。遠心引き動き機構ＦＣＤ１００’及びＦＣＤ１００’’にはそれぞれ遠心塊ＦＷ５００が設けられ、遠心塊ＦＷ５００には両側のスイング可能なアームＡ５００の結合に供される枢軸関節構造ＳＣ５００が設けられる。その一側のスイング可能なアームＡ５００はそれぞれ枢軸関節構造ＳＣ５００が設けられている固定台（または電機回転子構造から一体に延伸して作られた固定台）Ｃ３００’及びＣ３００’’に連結されて、それぞれ電機回転子Ｒ１００’及びＲ１００’’の引き動かしに供される。
【００１８】
電機回転子Ｒ１００’及びＲ１００’’の二組独立した電機回転軸Ｓ１００’及びＳ１００’’には、それぞれ減速時は復帰に表れる軸方向の予力ばねＳＰ１００’及びＳＰ１００’’が設置される。必要によってそれぞれ電機回転軸Ｓ１００’及びＳ１００’’に選択的に軸方向の定位置制限構造Ｄ１００が設置される。
【００１９】
本発明の請求項９に記載の遠心力によって回転子の軸方向作動の調整制御を行う電機は、二組の磁場形成構造Ｆ１００’及びＦ１００’’、及び二組の電機回転子Ｒ１００’及びＲ１００’’を設け、共同で一組の共用電機回転軸Ｓ１００’’’構造に結合することが可能である。二組の電機回転子Ｒ１００’及びＲ１００’’の間には一組の共用の遠心引き動き機構ＦＣＤ１００’’’が設けられ、一組の共用の遠心引き動き機構ＦＣＤ１００’’’には遠心塊ＦＷ５００が設けられる。遠心塊ＦＷ５００には両側のスイング可能なアームＡ５００の結合に供される枢軸関節構造ＳＣ５００が設けられる。一側に連結されているスイング可能なアームＡ５００は枢軸関節構造ＳＣ５００が設けられている固定台（または電機回転子構造から一体に延伸して作られた固定台）Ｃ３００’に連結されて電機回転子Ｒ１００’に結合される。別の一側に連結されているスイング可能なアームＡ５００は枢軸関節構造ＳＣ５００が設けられている固定台（または電機回転子構造から一体に延伸して作られた固定台）Ｃ３００’’に連結される。それによって電機回転子Ｒ１００’’の結合に供される。更に進んで電機回転子Ｒ１００’及びＲ１００’’は一組の共用の遠心引き動き機構ＦＣＤ１００’’’と予力ばねＳＰ１００’’’の作用により、共同で電機回転子Ｒ１００’及びＲ１００’’が軸方向の調整制御移行を行うよう駆動する。個別の電機回転子Ｒ１００’及びＲ１００’’と結合する電機回転軸Ｓ１００’’’の間にはスプライン軸またはその他軸方向移行が可能にキー溝構造ＳＬ１００が設けられ、更にキー溝状線性互動体の間には線性ローリングボールまたはローラ構造が設けられている。
【００２０】
本発明の請求項１０に記載の遠心力によって回転子の軸方向作動の調整制御を行う電機は、共用電機回転軸Ｓ１００’’’と電機回転子Ｒ１００’の間に、スプライン軸またはその他軸方向移行可能なキー溝構造ＳＬ１００が保留して設けられる。更にキー溝状線性互動体の間に線性ローリングボールまたはローラ構造が設けられ、電機回転子Ｒ１００’’とは直接結合であり、一組の共用の遠心引き動き機構ＦＣＤ１００’’’と予力ばねＳＰ１００’’’の作用により、単独に電機回転子Ｒ１００’が軸方向の調整制御移行を行うよう駆動する。
【００２１】
本発明の請求項１１に記載の遠心力によって回転子の軸方向作動の調整制御を行う電機は、二組の独立した電機回転軸Ｓ１００’及びＳ１００’’の間には更に二組の磁場形成構造Ｆ１００’及びＦ１００’’及び二組の電機回転子Ｒ１００’及びＲ１００’’を設ける。電機回転軸Ｓ１００’及びＳ１００’’の間には必要によって選択的に操作制御可能なクラッチＣＬ１００を設置可能である。操作制御可能なクラッチＣＬ１００は電力、磁力、機械力、人力、流体力または、その他操作力によって操作制御される摩擦式または嵌め合わせ式クラッチ、または遠心式クラッチ等を含む回転エネルギーの伝動または遮断機能を行うことに供されるクラッチから構成されるものを含む。それによって二組の電機回転子Ｒ１００’及びＲ１００’’が駆動され、電機回転軸Ｓ１００’及びＳ１００’’の間で分離独立駆動または連結共同駆動を行う。
【００２２】
本発明の請求項１２に記載の遠心力によって回転子の軸方向作動の調整制御を行う電機は、二組の磁場形成構造Ｆ１００’及びＦ１００’’、及び二組の電機回転子Ｒ１００’及びＲ１００’’、及び二組の電機回転軸Ｓ１００’及びＳ１００’’を設けることが可能である。二組の電機回転子Ｒ１００’及びＲ１００’’とケーシングＨ１００の間にはそれぞれ回転駆動の軸受けＢ１００が設けられ、遠心引き動き機構ＦＣＤ１００’及びＦＣＤ１００’’はそれぞれケーシングＨ１００と両電機回転子Ｒ１００’及びＲ１００’’の間に設置される。両電機回転軸Ｓ１００’及びＳ１００’’は二組の独立した電機回転軸から構成され、遠心引き動き機構ＦＣＤ１００’及びＦＣＤ１００’’にはそれぞれ遠心塊ＦＷ５００が設けられ、遠心塊ＦＷ５００には両側のスイング可能なアームＡ５００の結合に供される枢軸関節構造ＳＣ５００が設けられる。個別の遠心塊ＦＷ５００の一側に連結されるスイング可能なアームＡ５００はそれぞれ枢軸関節構造ＳＣ５００が設けられている固定台（または電機回転子構造から一体に延伸して作られた固定台）Ｃ３００’及びＣ３００’’に連結されて、それぞれ電機回転子Ｒ１００’及びＲ１００’’との結合に供される。個別の遠心塊ＦＷ５００の他側はリング形ワッシャＷＳ１００’及びＷＳ１００’’により、軸受けＢ２００’及びＢ２００’’を経て枢軸関節構造ＳＣ５００が設けられている固定台Ｃ２００’及びＣ２００’’に結合されてケーシングＨ１００に連結する。更にケーシングＨ１００と回転可能な結合及び軸方向抗張力のある機能に表れる。二組の固定台Ｃ３００’及びＣ３００’’と二組のリング形ワッシャＷＳ１００’及びＷＳ１００’’との間には予力ばねＳＰ１００’及びＳＰ１００’’が設けられる。必要によって選択的に二組の電機回転軸Ｓ１００’及びＳ１００’’に軸方向定位置制限構造体Ｄ１００を設置することも可能である。個別の電機回転子Ｒ１００’及びＲ１００’’と結合される電機回転軸Ｓ１００’及びＳ１００’’の間には、スプライン軸またはその他軸方向移行可能なキー溝構造ＳＬ１００が設けられる。また更に、キー溝状線性互動体の間に線性ローリングボールまたはローラ構造が設けられる。
【００２３】
遠心引き動き機構ＦＣＤ１００’及びＦＣＤ１００’’は、速度の変化に伴う遠心力及び軸方向の予力ばねＳＰ１００’及びＳＰ１００’’の作用により、それぞれ電機回転子Ｒ１００’及びＲ１００’’が軸方向の調整制御移行を行うよう駆動する。
【００２４】
本発明の請求項１３に記載の遠心力によって回転子の軸方向作動の調整制御を行う電機は、二組の磁場形成構造Ｆ１００’及びＦ１００’’、及び二組の電機回転子Ｒ１００’及びＲ１００’’が設けられて単独の共用電機回転軸Ｓ１００’’’から構成可能である。二組の遠心引き動き機構ＦＣＤ１００’及びＦＣＤ１００’’によってそれぞれ両電機回転子Ｒ１００’及びＲ１００’’とケーシングＨ１００の間に結合し、遠心引き動き機構ＦＣＤ１００’及びＦＣＤ１００’’にはそれぞれ遠心塊ＦＷ５００が設けられる。遠心塊ＦＷ５００には両側のスイング可能なアームＡ５００の結合に供される枢軸関節構造ＳＣ５００が設けられる。個別の遠心塊ＦＷ５００の一側に連結されるスイング可能なアームＡ５００はそれぞれ枢軸関節構造ＳＣ５００が設けられている固定台（または電機回転子構造から一体に延伸して作られた固定台）Ｃ３００’及びＣ３００’’に連結されてそれぞれ電機回転子Ｒ１００’及びＲ１００’’との結合に供される。
【００２５】
個別の遠心塊ＦＷ５００の他側はリング形ワッシャＷＳ１００’及びＷＳ１００’’により、軸受けＢ２００’及びＢ２００’’を経て枢軸関節構造ＳＣ５００が設けられている固定台Ｃ２００’及びＣ２００’’に結合されてケーシングＨ１００に連結する。更に進んでケーシングＨ１００と回転可能な結合及び軸方向抗張力のある機能に表れる。個別の電機回転子Ｒ１００’及びＲ１００’’と結合される共用電機回転軸Ｓ１００’’’にはスプライン軸またはその他軸方向移行可能なキー溝構造ＳＬ１００が設けられる。または更に進んでそのキー溝状線性互動体の間に線性ローリングボールまたはローラ構造が設けられる。遠心引き動き機構ＦＣＤ１００’及びＦＣＤ１００’’及びリング形ワッシャＷＳ１００’及びＷＳ１００’’と固定台Ｃ２００’及びＣ２００’’の間の軸方向の予力ばねＳＰ１００’及びＳＰ１００’’により、電機回転子Ｒ１００’及びＲ１００’’が軸方向の調整制御移行を行うよう駆動する。
【００２６】
本発明の請求項１４に記載の遠心力によって回転子の軸方向作動の調整制御を行う電機は、共用電機回転軸Ｓ１００’’’と電機回転子Ｒ１００’の間に、スプライン軸またはその他軸方向移行が可能なキー溝構造ＳＬ１００が保留して設けられ、更にキー溝状線性互動体の間に線性ローリングボールまたはローラ構造が設けられ、電機回転子Ｒ１００’’とは直接結合し、一組の共用の遠心引き動き機構ＦＣＤ１００’’’と予力ばねＳＰ１００’’’の作用により、単独に電機回転子Ｒ１００’が軸方向の調整制御移行を行うよう駆動する。
【００２７】
本発明の請求項１５に記載の遠心力によって回転子の軸方向作動の調整制御を行う電機は、二組の独立した電機回転軸Ｓ１００’及びＳ１００’’の間には、更に二組の磁場形成構造Ｆ１００’及びＦ１００’’、ならびに二組の電機回転子Ｒ１００’及びＲ１００’’を設ける。電機回転軸Ｓ１００’及びＳ１００’’の間には必要によって選択的に操作制御可能なクラッチＣＬ１００を設置可能である。操作制御可能なクラッチＣＬ１００は電力、磁力、機械力、人力、流体力その他操作力によって操作制御される摩擦式または嵌め合わせ式クラッチ、または遠心式クラッチ等を含む回転エネルギーの伝動または遮断機能を行うことに供されるクラッチから構成されるものを含む。それによって二組の電機回転子Ｒ１００’及びＲ１００’’が駆動する電機回転軸Ｓ１００’及びＳ１００’’の間に対して分離独立駆動または連結共同駆動を行う。
【００２８】
本発明の請求項１６に記載の遠心力によって回転子の軸方向作動の調整制御を行う電機は、二組の磁場形成構造Ｆ１００’及びＦ１００’’及び二組の電機回転軸Ｓ１００’及びＳ１００’’が設けられる。並びに二組の請求項４に記載の直列共同構造に表れる電機回転子Ｒ１００’及びＲ１００’’を設け、電機回転軸Ｓ１００’及びＳ１００’’の間には操作制御可能なクラッチＣＬ１００を設けることが可能である。操作制御可能なクラッチＣＬ１００は電力、磁力、機械力、人力、流体力、またはその他操作力によって操作制御される摩擦式または嵌め合わせ式クラッチ、または遠心式クラッチ等を含む回転エネルギーの伝動または遮断機能を行うことに供されるクラッチから構成される。それによって二組の電機回転子Ｒ１００’及びＲ１００’’が駆動する電機回転軸Ｓ１００’及びＳ１００’’の間に対して分離独立駆動または連結共同駆動を行う。
【００２９】
本発明の請求項１７に記載の遠心力によって回転子の軸方向作動の調整制御を行う電機は、二組の磁場形成構造Ｆ１００’及びＦ１００’’及び二組の電機回転軸Ｓ１００’及びＳ１００’’が設けられる。さらに二組の請求項５に記載の二組の直列共同構造に表れる回転電機である。電機回転子Ｒ１００’及びＲ１００’’の電機回転軸Ｓ１００’及びＳ１００’’の間には操作制御可能なクラッチＣＬ１００を設けることが可能である。操作制御可能なクラッチＣＬ１００は電力、磁力、機械力、人力、流体力、またはその他操作力によって操作制御される摩擦式または嵌め合わせ式クラッチ、または遠心式クラッチ等を含む回転エネルギーの伝動または遮断機能を行うことに供されるクラッチから構成される。それによって二組の電機回転子Ｒ１００’及びＲ１００’’が駆動する電機回転軸Ｓ１００’及びＳ１００’’の間に対して分離独立駆動または連結共同駆動を行う。
【００３０】
本発明の請求項１８に記載の遠心力によって回転子の軸方向作動の調整制御を行う電機は、二組の磁場形成構造Ｆ１００’及びＦ１００’’及び二組の電機回転軸Ｓ１００’及びＳ１００’’が設けられる。さらに二組の請求項６に記載の二組の直列共同構造に表れる回転電機で、電機回転子Ｒ１００’及びＲ１００’’の電機回転軸Ｓ１００’及びＳ１００’’の間には操作制御可能なクラッチＣＬ１００を設けることが可能である。操作制御可能なクラッチＣＬ１００は電力、磁力、機械力、人力、流体力、またはその他操作力によって操作制御される摩擦式または嵌め合わせ式クラッチ、または遠心式クラッチ等を含む回転エネルギーの伝動または遮断機能を行うことに供されるクラッチから構成される。それによって二組の電機回転子Ｒ１００’及びＲ１００’’が駆動する電機回転軸Ｓ１００’及びＳ１００’’の間に対して分離独立駆動または連結共同駆動を行う。
【００３１】
本発明の請求項１９に記載の遠心力によって回転子の軸方向作動の調整制御を行う電機は、二組の回転子には、両電機回転子及び個別または共用磁場形成構造のある回転電機が使用可能である。その二組の電機回転子はそれぞれ請求項２、請求項３、請求項４、請求項５、請求項６、請求項７、請求項８、請求項９、請求項１０、請求項１１、請求項１２、請求項１３、請求項１４、請求項１５、請求項１６、請求項１７または請求項１８中の二組の同一または異なる構造形態が混合して構成される。
【００３２】
本発明の請求項２０に記載の遠心力によって回転子の軸方向作動の調整制御を行う電機は、二組の回転子には、両電機回転子及び個別または共用磁場形成構造のある回転電機を使用可能である。その二組の電機回転子中の一つは請求項２、請求項３、請求項４、請求項５または請求項６中の如何なる一種の構造形態の異なる両電機回転子から構成され、別の電機回転子は一般の軸方向移行を行うことができない電機回転子、またはその他構造形態の軸方向の作動移行を行う電機回転子から構成される。
【００３３】
本発明の請求項２１に記載の遠心力によって回転子の軸方向作動の調整制御を行う電機は、二組の回転子には、両電機回転子及び個別または共用磁場形成構造のある両共構型回転電機を使用可能である。それは両者とも発電機または両者とも電動機、または一組が発電機または別の組が電動機の構造を含む。
【００３４】
本発明の請求項２２に記載の遠心力によって回転子の軸方向作動の調整制御を行う電機は、電機回転子Ｒ１００と磁場形成構造Ｆ１００の電磁効能の構造面の、電機回転子の鉄芯の軸方向積厚は磁場形成構造の軸方向積厚より大きいまたは等しいあるいは小さい。
【００３５】
本発明の請求項２３に記載の遠心力によって回転子の軸方向作動の調整制御を行う電機は、電機回転子と磁場形成構造間に発生する軸方向移行の発電機または電動機機能の調整制御方式は、調整制御可能な発電機の電圧、電流、周波数等入力対出力の線性等特性、及び調整制御可能な電動機の回転速度、トルク、同調または不同調等入力対出力の線性等特性を含む。
【００３６】
本発明の請求項２４に記載の遠心力によって回転子の軸方向作動の調整制御を行う電機は、遠心力を回転子の軸方向作動の調整制御を行う構造に関する。磁場形成構造磁極の軸方向厚さが電機回転子磁極の軸方向厚さより大きい場合、電機性能の調整制御方式は電機回転子磁極と磁場形成構造が遠心力によって軸方向の相対移行が発生する。この際に、固定特性のある電機回転子が異なる磁通密度または異なる隙間、または異なる磁極または異なる励磁方式またはその他異なる電機物理特性の構造形態、異なる電機特性の磁場形成構造に結合され、それによって必要な発電機または電動機の運転及び出力特性が発生する。
【００３７】
本発明の請求項２５に記載の遠心力によって回転子の軸方向作動の調整制御を行う電機は、整流子式電機から構成された場合、電機回転子磁極の軸方向厚さが磁場形成構造磁極の厚さより小さければ、整流子式電動子ＡＲＭ１００は軸方向作動の調整制御の移行に合わせて特定の軸方向に延長する整流子ＣＭ１００を設置する。ブラシＢＵ１００の結合範囲を大きくし、異なる構造形態または異なる電機特性の磁場形成構造Ｆ１００’’’との組み合わせに供され、遠心引き動き機構ＦＣＤ１００によって軸方向の引き動かし移行を行うことに於いて、相対した異なる電機特性が発生する。
【００３８】
本発明の請求項２６に記載の遠心力によって回転子の軸方向作動の調整制御を行う電機は、遠心力によって回転子の軸方向作動の調整制御を行う構造に関する。電機回転子磁極の軸方向厚さが磁場形成構造磁極の厚さより大きい場合、電機性能の調整制御方式では電機回転子と磁場形成構造が遠心引き動き機構ＦＣＤ１００によって軸方向の引き動かし移行が発生する。磁場形成構造が結合する電機回転子には軸方向の異なる電機特性の多段ループのかご式回転子構造の電機回転子Ｒ１００’’’を採用する。各段かご式回転子構造はかご式導体数、断面積、導電係数、埋め込み深さ、断面形状と磁場形成構造隙間の大きさ等を含むパラメータを選定し、それによって磁場形成構造と電機回転子に発生する軸方向の移行中では相対する異なった電機特性に表れる。
【００３９】
本発明の請求項２７に記載の遠心力によって回転子の軸方向作動の調整制御を行う電機は、電機回転子構造はコイルの励磁による回転子、または永久磁石式または凸極式または磁滞式または渦流式回転子から構成される。磁場形成構造及び電機回転子の外径及び内径寸法の選定により、遠心引き動き機構ＦＣＤ１００が電機回転子を引き動かして軸方向の引き動かしを行う。この際、磁場形成構造と電機回転子の隙間には軸方向に沿う変化が発生する。
【００４０】
本発明の請求項２８に記載の遠心力によって回転子の軸方向作動の調整制御を行う電機は、各種同様または異なった交流または直流、ブラシ付きまたブラシなし回転磁場形成構造及び電機回転子構造、及び磁場形成構造及び電機回転子の軸方向に沿って異なる位置の寸法を選定する。このことにより、同様または異なる内径または外径を有し、磁場形成構造または電機回転子が同様または異なる電機特性または構造の電機回転子から構成され、選定されて必要な発電機または電動機の運転及び出力の特性を獲得可能する。
【００４１】
本発明の請求項２９に記載の遠心力によって回転子の軸方向作動の調整制御を行う電機は、電機回転子は一体で構成されることも可能である。磁場形成構造と異なる軸方向の相対位置に表れる運転状態に於いて、磁場形成構造と異なる軸方向の結合位置の仕事段の電磁特性は同一または異なっていることも可能である。電機回転子は一体に構成され、または多数組の電機特性の異なる少なくとも二つの電機回転子構造が軸方向の重ね合いに表れて構成されたものでも可能である。
【００４２】
本発明の請求項３０に記載の遠心力によって回転子の軸方向作動の調整制御を行う電機は、磁場形成構造は一体で構成されることも可能である。電機回転子と異なる軸方向の結合位置の仕事段は同じ電機特性または異なった電機特性でもよく、磁場形成構造は一体に構成される。または多数組の電機特性の異なり少なくとも二つの磁場形成構造が軸方向の重ね合いに表れて構成されたものでも可能である。
【００４３】
本発明の請求項３１に記載の遠心力によって回転子の軸方向作動の調整制御を行う電機は、電機回転子と磁場形成構造両者の機械的相対移行の駆動関係は、外電機回転子回転型に表れた電機構造、内電機回転子回転型に表れた電機構造、または磁場構造と電機回転子に表れて両者とも回転可能な双動型の構造を含む。
本発明の請求項３２に記載の遠心力によって回転子の軸方向作動の調整制御を行う電機は、円筒状回転電機に表れた構造、または錘状回転電機に表れた構造を含む。
【００４４】
【発明の実施の形態】
以下、本発明の実施例を図面に基づいて説明する。
この遠心力によって回転子の軸方向作動の調整制御を行う電機の構造形態は次のものを含む。
【００４５】
（１）図１は、本発明の実施例による電機回転子と電機回転軸の間に電機回転子を引き動かして軸方向の作動調整制御を行うことに供される遠心引き動き機構が設けられた構造の図であり、図２に示すのは図１のＡ―Ａ’図である。
【００４６】
この遠心力によって回転子の軸方向作動の調整制御を行う電機は、それの電機回転軸Ｓ１００とケーシングＨ１００の間には軸受けＢ１００が設けられ、それの電機回転子Ｒ１００と電機回転軸Ｓ１００の間には回転伝動及び軸方向移行可能な構造、スプライン軸またはその他軸方向移行可能なキー溝構造ＳＬ１００が設けられ、または更に進んでそのキー溝状の線性互動体の間に線性ローリングボールまたはロール構造が設けられる。電機回転子Ｒ１００及び電機回転軸Ｓ１００の間に遠心引き動き機構ＦＣＤ１００が設けられている。遠心引き動き機構ＦＣＤ１００には遠心塊ＦＷ５００が設けられ、遠心塊ＦＷ５００には両側のスイング可能なアームＡ５００の結合に供される枢軸関節構造ＳＣ５００が設けられている。その中の一側のスイング可能なアームＡ５００は枢軸関節構造ＳＣ５００が設けられている固定台Ｃ１００に連結され、別の一側のスイング可能なアームＡ５００は枢軸関節構造ＳＣ５００が設けられて電機回転子Ｒ１００との結合に供される固定台（または電機回転子構造から一体に延伸して作られた固定台）Ｃ３００に連結される。電機回転軸Ｓ１００の固定台Ｃ１００と電機回転子Ｒ１００の間には減速時は復帰に表れる軸方向の予力ばねＳＰ１００が設けられ、並びに電機回転軸Ｓ１００には選択性に軸方向の定位置制限構造体Ｄ１００が設置され、電機回転子Ｒ１００が発電機機能の運転または電動機機能の運転を行った場合、電機回転子Ｒ１００の回転速度によって遠心引き動き機構ＦＣＤ１００が回転速度に伴って遠心力が変化するよう操作制御し、更に進んで電機回転子が設定方向の軸方向移行を行うよう駆動し、それによって電機回転子Ｒ１００と磁場形成構造Ｆ１００の間に相対設定の発電機または電動機機能が発生する。
【００４７】
（２）図３は本実施例の電機回転子とケーシングの内側間に電機回転子を引き動かして軸方向の作動調整制御を行うことに供される遠心引き動き機構が設けられてある構造の図であり、それのＡ−Ａ’図は図２と同じである。この遠心力によって回転子の軸方向作動の調整制御を行う電機は、それの遠心引き動き機構ＦＣＤ１００は電機回転子Ｒ１００及びケーシングＨ１００の間に設置することに供され、並びに回転結合可能及び軸方向抗張力機能のあるものに表れる。電機回転子Ｒ１００と電機回転軸Ｓ１００の間にはスプライン軸、またはその他軸方向移行可能なキー溝構造ＳＬ１００が設けられ、または更に進んでそのキー溝状の線性互動体の間に線性ローリングボールまたはロール構造が設けられる。遠心引き動き機構ＦＣＤ１００の一側は枢軸関節構造ＳＣ５００に連結されて両側のスイング可能なアームＡ５００と連結し、その中の一側のスイング可能なアームＡ５００は電機回転子との結合に供される固定台（または電機回転子構造から一体に延伸して作られた固定台）Ｃ３００に連結され、別の一側のスイング可能なアームＡ５００は枢軸関節構造ＳＣ５００が設けられてあるリング形ワッシャＷＳ１００に連結され、及び軸受けＢ２００を経て固定台Ｃ２００に連結し、ケーシングＨ１００と回転可能な結合及び軸方向の抗張力機能があるものに表れる。遠心引き動き機構ＦＣＤ１００のリング形ワッシャＷＳ１００と電機回転子Ｒ１００との結合に供される固定台Ｃ３００の間には減速時は復帰に表れる軸方向の予力ばねＳＰ１００が設けられ、並びに電機回転軸には軸方向の定位置制限構造体Ｄ１００が設置されてあり、電機回転軸Ｓ１００とケーシングＨ１００の間には結合された電機回転軸Ｓ１００が回転駆動を行う軸受けＢ１００が設けられ、電機回転子Ｒ１００及び電機回転軸Ｓ１００が発電機機能の運転または電動機機能の運転を行った場合、それの回転速度によって遠心引き動き機構ＦＣＤ１００は回転速度に伴って遠心力が変化するよう操作制御し、更に進んで電機回転子Ｒ１００は電機回転軸Ｓ１００に沿って設定方向の軸方向移行が発生するよう駆動し、並びに磁場形成構造Ｆ１００と相対設定の発電機または電動機機能が発生する。
【００４８】
（３）図４は本実施例の電機回転子とケーシングの内側間に電機回転軸を引き動かして軸方向の作動調整制御を行うことに供される遠心引き動き機構が設けられてある構造の図であり、それのＡ−Ａ’図は図２と同じである。この遠心力によって回転子の軸方向作動の調整制御を行う電機は、それの遠心引き動き機構ＦＣＤ１００は電機回転子Ｒ１００及びケーシングＨ１００の間に設置することに供され、並びに回転結合可能及び軸方向抗張力機能のあるものに表れる。電機回転子Ｒ１００と電機回転軸Ｓ１００は結合し、遠心引き動き機構ＦＣＤ１００の一側は枢軸関節構造ＳＣ５００に連結されて両側のスイング可能なアームＡ５００と連結する。その中の一側のスイング可能なアームＡ５００は電機回転子との結合に供される固定台（または電機回転子構造から一体に延伸して作られた固定台）Ｃ３００に連結されて電機回転子と結合する。別の一側はスイング可能なアームＡ５００によって枢軸関節構造ＳＣ５００が設けられてあるリング形ワッシャＷＳ１００に連結され、及び軸受けＢ２００を経て固定台Ｃ２００に連結し、ケーシングＨ１００と回転可能な結合及び軸方向の抗張力機能があるものに表れる。遠心引き動き機構ＦＣＤ１００のリング形ワッシャＷＳ１００と電機回転子Ｒ１００との結合に供される固定台Ｃ３００の間には減速時は復帰に表れる軸方向の予力ばねＳＰ１００が設けられる。電機回転軸には軸方向の定位置制限構造体Ｄ１００が設置され、電機回転軸Ｓ１００とケーシングＨ１００の間には結合された電機回転軸Ｓ１００が軸方向移行及び回転駆動を行うスリーブまたは軸受けＢ１００が設けられる。軸方向移行または回転駆動を行うスリーブまたは軸受けＢ１００とケーシングＨ１００の間の軸方向の位置固定を行うことが出来る。それによって電機回転子Ｒ１００及び電機回転軸Ｓ１００が発電機機能の運転または電動機機能の運転を行った場合、回転速度に伴って遠心引き動き機構ＦＣＤ１００は遠心力を変化するよう操作制御し、更に進んで電機回転子に設定方向の軸方向移行が発生するよう駆動し、並びに磁場形成構造Ｆ１００と相対設定の発電機または電動機機能が発生する。
【００４９】
（４）図５は本実施例の電機回転軸とケーシングの内側間に電機回転子を引き動かして軸方向の作動調整制御を行うことに供される遠心引き動き機構が設けられている構造の図であり、それのＡ−Ａ’図は図２と同じである。この遠心力によって回転子の軸方向作動の調整制御を行う電機は、電機回転子Ｒ１００の電機回転軸Ｓ１００とケーシングＨ１００内側の間には電機回転軸Ｓ１００が軸方向移行を引き動かすことに供される遠心引き動き機構ＦＣＤ１００が設けられる。遠心引き動き機構ＦＣＤ１００には遠心塊ＦＷ５００が設けられ、遠心塊ＦＷ５００には両側のスイング可能なアームＡ５００の結合に供される枢軸関節構造ＳＣ５００が設けられている。その中の一側のスイング可能なアームＡ５００は枢軸関節構造ＳＣ５００が設けられている固定台Ｃ１００に連結され、別の一側のスイング可能なアームＡ５００はリング形ワッシャＷＳ１００への連結に供される。軸受けＢ２００を経て枢軸関節構造ＳＣ５００が設けられている固定台Ｃ２００に結合されてケーシングＨ１００の内側に連結する。遠心引き動き機構ＦＣＤ１００とケーシングＨ１００の間は回転可能な結合及び軸方向の抗張力機能があるものに表れ、遠心引き動き機構ＦＣＤ１００に設置されたリング形ワッシャＷＳ１００及び電機回転軸Ｓ１００との結合に供される固定台Ｃ１００の間には減速時は復帰に表れる軸方向の予力ばねＳＰ１００が設けられることが可能である。電機回転軸Ｓ１００とケーシングＨ１００の間には結合される電機回転軸Ｓ１００が軸方向移行及び回転駆動を行うスリーブまたは軸受けＳＢ１００が設けられる。軸方向移行及び回転駆動を行うスリーブまたは軸受けＳＢ１００とケーシングＨ１００間の軸方向の位置固定を行うことが可能である。電機回転軸Ｓ１００は軸方向移行の回転駆動機能だけを行い、電機回転子Ｒ１００及び電機回転軸Ｓ１００が発電機機能の運転または電動機機能の運転を行った場合、その回転速度に伴い、遠心引き動き機構ＦＣＤ１００が回転速度によって遠心力が変化し、及び軸方向の予力ばねＳＰ１００の作用によって電機回転軸Ｓ１００が設定方向の軸方向移行を発生するよう駆動し、更に進んで電機回転子Ｒ１００を軸方向に引き動かし、磁場形成構造Ｆ１００との間に相対設定の発電機または電動機機能が発生する。
【００５０】
（５）図６は本実施例の電機回転軸とケーシングの外側間に電機回転子を引き動かして軸方向の作動調整制御を行うことに供される遠心引き動き機構が設けられてある構造の図であり、それのＡ−Ａ’図は図２と同じである。この遠心力によって回転子の軸方向作動の調整制御を行う電機は、電機回転子Ｒ１００のケーシングＨ１００の外側に露出している電機回転軸Ｓ１００とケーシングＨ１００の間に電機回転軸Ｓ１００が軸方向移行を引き動かすことに供される遠心引き動き機構ＦＣＤ１００が設けられる。遠心引き動き機構ＦＣＤ１００には遠心塊ＦＷ５００が設けられ、遠心塊ＦＷ５００にはスイング可能なアームＡ５００の結合に供される枢軸関節構造ＳＣ５００が設けられている。その中の一側のスイング可能なアームＡ５００は固定台Ｃ１００に連結されて電機回転軸Ｓ１００に結合し、別の一側のスイング可能なアームあ５００はリング形ワッシャＷＳ１００への連結に供される。軸受けＢ２００を経て枢軸関節構造ＳＣ５００が設けられている固定台Ｃ２００に結合されてケーシングＨ１００の内側に連結する。遠心引き動き機構ＦＣＤ１００とケーシングＨ１００の間は回転可能な結合及び軸軸方向の抗張力機能があるものに表れる。遠心引き動き機構ＦＣＤ１００に設置されたリング形ワッシャＷＳ１００及び電機回転軸Ｓ１００との結合に供される固定台Ｃ１００の間には減速時は復帰に表れる軸方向の予力ばねＳＰ１００が設けられることが可能である。電機回転軸Ｓ１００とケーシングＨ１００の間には結合される電機回転軸Ｓ１００が軸方向移行及び回転駆動を行うスリーブまたは軸受けＳＢ１００が設けられる。軸方向移行及び回転駆動を行うスリーブまたは軸受けＳＢ１００とケーシングＨ１００間の軸方向の位置固定を行うことができ、電機回転軸Ｓ１００は軸方向移行の回転駆動機能だけを行う。電機回転子Ｒ１００及び電機回転軸Ｓ１００が発電機機能の運転または電動機機能の運転を行った場合、その回転速度に伴い、遠心引き動き機構ＦＣＤ１００が回転速度によって遠心力が変化する。軸方向の予力ばねＳＰ１００の作用によって電機回転軸Ｓ１００が設定方向の軸方向移行を発生するよう駆動し、更に進んで電機回転子Ｒ１００を軸方向に引き動かし、磁場形成構造Ｆ１００との間に相対設定の発電機または電動機機能が発生する。
【００５１】
この遠心力によって回転子の軸方向作動の調整制御を行う電機は更に進んで個別の磁場形成構造Ｆ１００を二つ個別の電機回転子に結合して両電機回転子の構造に構成可能である。前記両電機回転子Ｒ１００’及びＲ１００’’と電機回転軸の間は固定結合、またはスプライン軸またはその他軸方向移行が可能なキー溝構造ＳＬ１００、または更に進んでそれのキー溝状線性互動体の間に線性ローリングボールまたはローラ構造が設けられてある電機回転軸でもよい。それは共用の単軸電機回転軸Ｓ１００’’’または二段個別の電機回転軸Ｓ１００’及びＳ１００’’から構成されたものを含む。前記個別の両電機回転子Ｒ１００は個別の磁場形成構造Ｆ１００構造との結合に供され、個別の両電機回転子Ｒ１００は同じ特性または異なる特性の電機回転子構造の採用が可能である。両電機回転子Ｒ１００が結合する磁場形成構造Ｆ１００も同じ特性または異なる特性の磁場形成構造でよい。
【００５２】
図７は本実施例の両電機回転子の実施例一の図で、それのＡ−Ａ’図は図２と同じである。
図８は本実施例の両電機回転子の実施例二の図で、それのＡ−Ａ’図は図２と同じである。
【００５３】
図９は図８の実施例中の一側の電機回転子と共用電機回転軸の間は軸方向移行の操作制御を行なうことが可能で、別の一側の電機回転子と共用電機回転軸の間は軸方向移行の操作制御を行なうことができない固定結合の実施例の図で、それのＡ−Ａ’図は図２と同じである。
【００５４】
図１０は本実施例の両電機回転子の実施例三の図で、それのＡ−Ａ’図は図２と同じである。
図１１は本実施例の両電機回転子の実施例四の図で、それのＡ−Ａ’図は図２と同じである。
【００５５】
図１２は本実施例の両電機回転子の実施例五の図で、それのＡ−Ａ’図は図２と同じである。
図１３は図８の実施例中の一側の電機回転子と共用電機回転軸の間は軸方向移行の操作制御を行なうことが可能で、別の一側の電機回転子と共用電機回転軸の間は固定結合の実施例の図で、それのＡ−Ａ’図は図２と同じである。
【００５６】
図１４は本発明の両電機回転子の実施例六の図で、それのＡ−Ａ’図は図２と同じである。
図１５は本発明の両電機回転子の実施例七の図で、それのＡ−Ａ’図は図２と同じである。
【００５７】
図１６は本発明の両電機回転子の実施例八の図で、それのＡ−Ａ’図は図２と同じである。
図１７は本発明の両電機回転子の実施例九の図で、それのＡ−Ａ’図は図２と同じである。
【００５８】
前記図７から図１７に示すものは必要によって更に選択的に個別の両電機回転軸Ｓ１００’及びＳ１００’’の間に電力磁力、機械力、人力、流体力、またはその他操作力によって操作制御される摩擦式または嵌め合わせ式クラッチ、または遠心式クラッチ等を含む各種操作制御可能な伝動装置を設け加えることが可能である。回転エネルギーの伝動または遮断機能を行うクラッチから構成される操作制御可能なクラッチＣＬ１００に供され、両電機回転子が連結運転または個別の分離運転を行うようにする。
【００５９】
この遠心力によって回転子の軸方向作動の調整制御を行う電機の両電機回転子の構造の構成方式は次のものを含む。
（１）図７に示すのは本発明の両電機回転子の実施例一の図で、それのＡ−Ａ’図は図２と同じである。それは更に進んで二組の磁場形成構造Ｆ１００’及びＦ１００’’、及び二組の電機回転子Ｒ１００’及びＲ１００’’を設けてもよく、二組の電機回転子Ｒ１００’及びＲ１００’’とケーシングＨ１００の間にはそれぞれ回転駆動の軸受けＢ１００が設けられる。二組の個別に電機回転子Ｒ１００’及びＲ１００’’の軸方向移行を引き動かすことに供される遠心引き動き機構ＦＣＤ１００’及びＦＣＤ１００’’が設けられ、遠心引き動き機構ＦＣＤ１００’及びＦＣＤ１００’’にはそれぞれ遠心塊ＦＷ５００が設けられる。遠心塊ＦＷ５００には両側のスイング可能なアームＡ５００の結合に供される枢軸関節構造ＳＣ５００が設けられている。個別のその一側のスイング可能なアームＡ５００はそれぞれ枢軸関節構造ＳＣ５００が設けられている固定台（または電機回転子構造から一体に延伸して作られた固定台）Ｃ３００’  及びＣ３００’’に連結されてそれぞれ電機回転子Ｒ１００’及びＲ１００’’の引き動かしに供される。電機回転子Ｒ１００’及びＲ１００’’の二組独立した電機回転軸Ｓ１００’及びＳ１００’’にそれぞれ減速時は復帰に表れる軸方向の予力ばねＳＰ１００’及びＳＰ１００’’を設置する。必要によってそれぞれ電機回転軸Ｓ１００’及びＳ１００’’に選択的に軸方向の定位置制限構造Ｄ１００を設置する。
【００６０】
図８に示すのは本発明の両電機回転子の実施例二の図で、それのＡ−Ａ’図は図２と同じであり、それは更に進んで二組の磁場形成構造Ｆ１００’及びＦ１００’’、及び二組の電機回転子Ｒ１００’及びＲ１００’’を設け、共同で一組の共用電機回転軸Ｓ１００’’’構造に結合可能である。二組の電機回転子Ｒ１００’及びＲ１００’’の間には一組共用の遠心引き動き機構ＦＣＤ１００’’’が設けられ、一組の共用の遠心引き動き機構ＦＣＤ１００’’’には遠心塊ＦＷ５００が設けられる。遠心塊ＦＷ５００には両側のスイング可能なアームＡ５００の結合に供される枢軸関節構造ＳＣ５００が設けられ、一側に連結されてあるスイング可能なアームＡ５００は枢軸関節構造ＳＣ５００が設けられている固定台（または電機回転子構造から一体に延伸して作られた固定台）Ｃ３００’に連結されて電機回転子Ｒ１００’に結合される。別の一側に連結されているスイング可能なアームＡ５００は枢軸関節構造ＳＣ５００が設けられている固定台（または電機回転子構造から一体に延伸して作られた固定台）Ｃ３００’’に連結される。電機回転子Ｒ１００’’の結合に供され、更に進んで電機回転子Ｒ１００’及びＲ１００’’は一組の共用の遠心引き動き機構ＦＣＤ１００’’’と予力ばねＳＰ１００’’’の作用により、共同に電機回転子Ｒ１００’及びＲ１００’’が軸方向の調整制御移行を行うよう駆動する。個別の電機回転子Ｒ１００’及びＲ１００’’と結合する電機回転軸Ｓ１００’’’の間にはスプライン軸またはその他軸方向移行を行うことができるキー溝構造ＳＬ１００が設けられる。更に進んでそのキー溝状線性互動体の間に線性ローリングボールまたはローラ構造が設けられる。
【００６１】
前記図８の実施例は更に進んで共用電機回転軸Ｓ１００’’’と電機回転子Ｒ１００’の間に、スプライン軸またはその他軸方向移行を行うことが可能なキー溝構造ＳＬ１００が保留して設けられる。更に進んでそのキー溝状線性互動体の間に線性ローリングボールまたはローラ構造が設けられる。電機回転子Ｒ１００’’とは直接結合であり、一組の共用の遠心引き動き機構ＦＣＤ１００’’’と予力ばねＳＰ１００’’’の作用により、単独に電機回転子Ｒ１００’が軸方向の調整制御移行を行うよう駆動する。
【００６２】
図９に示すのは図８の実施例中の一側の電機回転子と共用電機回転軸の間は軸方向移行の操作制御可能であり、別の一側の電機回転子と共用電機回転軸の間は軸方向移行の操作制御を行なうことができない固定結合の実施例の図で、それのＡ−Ａ’図は図２と同じである。
【００６３】
図１０に示すのは本発明の両電機回転子の実施例三の図で、それのＡ−Ａ’図は図２と同じであり、それは図７の実施例中に、二組独立した電機回転軸Ｓ１００’及びＳ１００’’の間には更に進んで二組の磁場形成構造Ｆ１００’及びＦ１００’’及び二組の電機回転子Ｒ１００’及びＲ１００’’を設ける。電機回転軸Ｓ１００’及びＳ１００’’の間に必要によって選択性に操作制御可能なクラッチＣＬ１００を設置可能である。操作制御可能なクラッチＣＬ１００は電力磁力、機械力、人力、流体力、またはその他操作力によって操作制御される摩擦式または嵌め合わせ式クラッチ、または遠心式クラッチ等を含む回転エネルギーの伝動または遮断機能を行うことに供されるクラッチから構成されるを含む。それによって二組の電機回転子Ｒ１００’及びＲ１００’’を駆動し、電機回転軸Ｓ１００’及びＳ１００’’の間に分離独立駆動または連結共同駆動を行う。
【００６４】
（２）図１１に示すのは本発明の両電機回転子の実施例四の図で、それのＡ−Ａ’図は図２と同じであり、それは二組の磁場形成構造Ｆ１００’及びＦ１００’’、及び二組の電機回転子Ｒ１００’及びＲ１００’’、及び二組の電機回転軸Ｓ１００’及びＳ１００’’を設けることが可能である。二組の電機回転子Ｒ１００’及びＲ１００’’とケーシングＨ１００の間にはそれぞれ回転駆動の軸受けＢ１００が設けられ、遠心引き動き機構ＦＣＤ１００’及びＦＣＤ１００’’はそれぞれケーシングＨ１００と両電機回転子Ｒ１００’及びＲ１００’’の間に設置され、両電機回転軸Ｓ１００’及びＳ１００’’は二組の独立した電機回転軸から構成される。遠心引き動き機構ＦＣＤ１００’及びＦＣＤ１００’’にはそれぞれ遠心塊ＦＷ５００が設けられ、遠心塊ＦＷ５００には両側のスイング可能なアームＡ５００の結合に供される枢軸関節構造ＳＣ５００が設けられている。個別の遠心塊ＦＷ５００の一側に連結されるスイング可能なアームＡ５００はそれぞれ枢軸関節構造ＳＣ５００が設けられている固定台（または電機回転子構造から一体に延伸して作られた固定台）Ｃ３００’及びＣ３００’’に連結されてそれぞれ電機回転子Ｒ１００’及びＲ１００’’との結合に供される。個別の遠心塊ＦＷ５００の他側はリング形ワッシャＷＳ１００’及びＷＳ１００’’により、軸受けＢ２００’及びＢ２００’’を経て枢軸関節構造ＳＣ５００が設けられている固定台Ｃ２００’及びＣ２００’’に結合されてケーシングＨ１００に連結し、更に進んでケーシングＨ１００と回転可能な結合及び軸方向抗張力のある機能に表れる。二組の固定台Ｃ３００’及びＣ３００’’と二組のリング形ワッシャＷＳ１００’及びＷＳ１００’’の間には予力ばねＳＰ１００’及びＳＰ１００’’が設けられ、必要によって選択性に二組の電機回転軸Ｓ１００’及びＳ  １００’’に軸方向定位置制限構造体Ｄ１００を設置可能であり、個別の電機回転子Ｒ１００’及びＲ１００’’に結合される電機回転軸Ｓ１００’及びＳ１００’’の間にはスプライン軸またはその他軸方向移行可能なキー溝構造ＳＬ１００が設けられる。更に進んでそのキー溝状線性互動体の間に線性ローリングボールまたはローラ構造が設けられる。遠心引き動き機構ＦＣＤ１００’及びＦＣＤ１００’’が速度の変化に伴う遠心力及び軸方向の予力ばねＳＰ１００’及びＳＰ１００’’の作用により、それぞれ電機回転子Ｒ１００’及びＲ１００’’が軸方向の調整制御移行を行うよう駆動する。
【００６５】
図１２は本発明の両電機回転子の実施例五の図で、それのＡ−Ａ’図は図２と同じである。二組の磁場形成構造Ｆ１００’及びＦ１００’’、及び二組の電機回転子Ｒ１００’及びＲ１００’’が設けられ、単独の共用電機回転軸Ｓ１００’’’から構成されることも可能である。二組の遠心引き動き機構ＦＣＤ１００’及びＦＣＤ１００’’によってそれぞれ両電機回転子Ｒ１００’及びＲ１００’’とケーシングＨ１００の間に結合し、遠心引き動き機構ＦＣＤ１００’及びＦＣＤ１００’’にはそれぞれ遠心塊ＦＷ５００が設けられ、遠心塊ＦＷ５００には両側のスイング可能なアームＡ５００の結合に供される枢軸関節構造ＳＣ５００が設けられる。個別の遠心塊ＦＷ５００の一側に連結されるスイング可能なアームＡ５００はそれぞれ枢軸関節構造ＳＣ５００が設けられている固定台（または電機回転子構造から一体に延伸して作られた固定台）Ｃ３００’及びＣ３００’’に連結されてそれぞれ電機回転子Ｒ１００’及びＲ１００’’との結合に供される。個別の遠心塊ＦＷ５００の他側はリング形ワッシャＷＳ１００’及びＷＳ１００’’により、軸受けＢ２００’及びＢ２００’’を経て枢軸関節構造ＳＣ５００が設けられている固定台Ｃ２００’及びＣ２００’’に結合されてケーシングＨ１００に連結し、更に進んでケーシングＨ１００と回転可能な結合及び軸方向抗張力のある機能に表れる。個別の電機回転子Ｒ１００’及びＲ１００’’と結合される共用電機回転軸Ｓ１００’’’にはスプライン軸またはその他軸方向移行を行うことができるようなキー溝構造ＳＬ１００が設けられ、更に進んでそのキー溝状線性互動体の間に線性ローリングボールまたはローラ構造が設けられる。遠心引き動き機構ＦＣＤ１００’及びＦＣＤ１００’’及びリング形ワッシャＷＳ１００’及びＷＳ１００’’と固定台Ｃ２００’及びＣ２００’’の間の軸方向の予力ばねＳＰ１００’及びＳＰ１００’’により、電機回転子Ｒ１００’及びＲ１００’’が軸方向の調整制御移行を行うよう駆動する。
【００６６】
前記図１２の実施例は更に進んで図１３に示すように、共用電機回転軸Ｓ１００’’’と電機回転子Ｒ１００’の間に、スプライン軸またはその他軸方向移行可能なキー溝構造ＳＬ１００が保留して設けられる。更に進んでそのキー溝状線性互動体の間に線性ローリングボールまたはローラ構造が設けられる。電機回転子Ｒ１００’’とは直接結合であり、一組の共用の遠心引き動き機構ＦＣＤ１００’’’と予力ばねＳＰ１００’’’の作用により、単独に電機回転子Ｒ１００’が軸方向の調整制御移行を行うよう駆動する。
【００６７】
図１３に示すのは図８の実施例中の一側の電機回転子と共用電機回転軸の間は軸方向移行の操作制御を行なうことができ、別の一側の電機回転子と共用電機回転軸の間は固定結合の実施例の図で、それのＡ−Ａ’図は図２と同じである。
【００６８】
図１４に示すのは本発明の両電機回転子の実施例六の図で、それのＡ−Ａ’図は図２と同じである。前記図１１の実施例中で、二組の独立した電機回転軸Ｓ１００’及びＳ１００’’の間に、更に二組の磁場形成構造Ｆ１００’及びＦ１００’’及び二組の電機回転子Ｒ  １００’及びＲ１００’’を設ける。電機回転軸Ｓ１００’及びＳ１００’’の間に必要によって選択的に操作制御可能なクラッチＣＬ１００を設置してもよい。操作制御可能なクラッチＣＬ１００は電力、磁力、機械力、人力、流体力、またはその他操作力によって操作制御される摩擦式または嵌め合わせ式クラッチ、または遠心式クラッチ等を含む回転エネルギーの伝動または遮断機能を行うことに供されるクラッチから構成されるものを含む。それによって二組の電機回転子Ｒ１００’及びＲ１００’’が駆動する電機回転軸Ｓ１００’及びＳ１００’’の間に対して分離独立駆動または連結共同駆動を行う。
【００６９】
（３）図１５は本発明の両電機回転子の実施例七の図で、それのＡ−Ａ’図は図２と同じであり、それは二組の磁場形成構造Ｆ１００’及びＦ１００’’及び二組の電機回転軸Ｓ１００’及び  Ｓ１００’’が設けられる。並びに図４実施例を例として直列共同構造に表れる電機回転子Ｒ１００’及びＲ１００’’を設け、電機回転軸Ｓ１００’及びＳ１００’’の間には操作制御可能なクラッチＣＬ１００が設けられてもよい。操作制御可能なクラッチＣＬ１００は電力、磁力、機械力、人力、流体力、またはその他操作力によって操作制御される摩擦式または嵌め合わせ式クラッチ、または遠心式クラッチ等を含む回転エネルギーの伝動または遮断機能を行うことに供されるクラッチから構成される。それによって二組の電機回転子Ｒ１００’及びＲ１００’’が駆動する電機回転軸Ｓ１００’及びＳ１００’’の間に対して分離独立駆動または連結共同駆動を行う。
【００７０】
（４）図１６は本発明の両電機回転子の実施例八の図で、それのＡ−Ａ’図は図２と同じである。それは二組の磁場形成構造Ｆ１００’及びＦ１００’’及び二組の電機回転軸Ｓ１００’及びＳ１００’’が設けられる。図５を例として二組の直列共同構造に表れる回転電機で、電機回転子Ｒ１００’及びＲ１００’’の電機回転軸Ｓ１００’及びＳ１００’’の間には操作制御可能なクラッチＣＬ１００が設けられてもよい。操作制御可能なクラッチＣＬ１００は電力、磁力、機械力、人力、流体力を採用し、その他操作力によって操作制御される摩擦式または嵌め合わせ式クラッチ、または遠心式クラッチ等を含む回転エネルギーの伝動または遮断機能を行うことに供されるクラッチから構成される。それによって二組の電機回転子Ｒ１００’及びＲ１００’’が駆動する電機回転軸Ｓ１００’及びＳ１００’’の間に対して分離独立駆動または連結共同駆動を行う。
【００７１】
（５）図１７は本発明の両電機回転子の実施例九の図で、それのＡ−Ａ’図は図２と同じである。それは二組の磁場形成構造Ｆ１００’及びＦ１００’’及び二組の電機回転軸Ｓ１００’及びＳ１００’’が設けられ、請求項６に示した二組の直列共同構造に表れる回転電機で、電機回転子Ｒ１００’及びＲ１００’’の電機回転軸Ｓ１００’及びＳ１００’’の間には操作制御可能なクラッチＣＬ１００が設けられてもよい。操作制御可能なクラッチＣＬ１００は電力、磁力、機械力、人力、流体力、またはその他操作力によって操作制御される摩擦式または嵌め合わせ式クラッチ、または遠心式クラッチ等を含む回転エネルギーの伝動または遮断機能を行うことに供されるクラッチから構成される。それによって二組の電機回転子Ｒ１００’及びＲ１００’’が駆動する電機回転軸Ｓ１００’及びＳ１００’’の間に対して分離独立駆動または連結共同駆動を行う。
【００７２】
（６）本実施例は両電機回転子及び個別または共用磁場形成構造のある回転電機でもよく、その二組電機回転子はそれぞれ図１から図１７中に示す二組同じまたは異なる構造形態から混合して構成される。
（７）本実施例は両電機回転子及び個別または共用磁場形成構造のある回転電機でよもく、その二組電機回転子中の一つは図１から図６に示した実施例の中のいずれか一種の構造形態の異なる両電機回転子から構成され、別の電機回転子は一般の軸方向移行を行うことができない電機回転子、またはその他構造形態の軸方向の作動移行を行う電機回転子から構成される。
【００７３】
応用の必要に合わせて、前述した本発明の実施例は両電機回転子及び個別または共用磁場形成構造のある両共構型回転電機でもよく、それは両者とも発電機または両者とも電動機、または一組が発電機または別の組が電動機の構造を含む。この遠心力によって回転子の軸方向作動の調整制御を行う電機で、それの電機回転子Ｒ１００と磁場形成構造Ｆ１００の電磁効能の構造面は次のものを含む。
【００７４】
（１）電機回転子の鉄芯の軸方向積厚は磁場形成構造の軸方向積厚より大きい。
（２）電機回転子の鉄芯の軸方向積厚は磁場形成構造の軸方向積厚に等しい。
（３）電機回転子の鉄芯の軸方向積厚は磁場形成構造の軸方向積厚より小さい。
この遠心力によって回転子の軸方向作動の調整制御を行う電機で、それの電機回転子と磁場形成構造間に発生する軸方向移行の発電機または電動機機能の調整制御方式は、調整制御可能な発電機の電圧、電流、周波数等入力対出力の線性等特性、及び調整制御可能な電動機の回転速度、トルク、同調または不同調等入力対出力の線性等特性を含む。この遠心力によって回転子の軸方向作動の調整制御を行う電機で、その遠心力を回転子の軸方向作動の調整制御を行う構造は次のものを含む。
【００７５】
（１）磁場形成構造磁極の軸方向厚さは電機回転子磁極の軸方向厚さより大きい場合、それの電機性能の調整制御方式は電機回転子磁極と磁場形成構造が遠心力によって軸方向の相対移行が発生する。この際、固定特性のある電機回転子が異なる磁通密度または異なる隙間、または異なる磁極または異なる励磁方式またはその他異なる電機物理特性の異なる構造形態、異なる電機特性の磁場形成構造に結合され、それによって必要な発電機または電動機の運転及び出力特性が発生する。それが整流子式電機から構成された場合、もし電機回転子磁極の軸方向厚さが磁場形成構造磁極の厚さより小さければ、整流子式電動子ＡＲＭ１００は軸方向作動の調整制御の移行に合わして特定の軸方向に延長する整流子ＣＭ１００を設置し、それとブラシＢＵ１００の結合範囲を大きくして異なる構造形態または異なる電機特性の異なる磁場形成構造Ｆ１００’’’との組み合わせに供され、遠心引き動き機構ＦＣＤ１００によって軸方向の引き動かし移行を行うことに於いて、相対した異なる電機特性が発生する。図１８に示すのは本発明の実施例による軸方向の延長に表れた整流子式電機子の図である。
【００７６】
（２）電機回転子磁極の軸方向厚さが磁場形成構造磁極の厚さより大きい場合、電機性能の調整制御方式は電機回転子と磁場形成構造が遠心引き動き機構ＦＣＤ１００によって軸方向の引き動かし移行が発生する。磁場形成構造が結合する電機回転子は軸方向の異なる電機特性の多段ループのかご式回転子構造の電機回転子Ｒ１００’’’を採用し、各段かご式回転子構造はかご式導体数、断面積、導電係数、埋め込み深さ、断面形状と磁場形成構造隙間の大きさ等を含むパラメータを選定し、それによって磁場形成構造と電機回転子に発生する軸方向の移行中では相対した異なる電機特性に表れる。図１９に示すのは本発明の実施例による軸方向多段ループのかご式回転子構造に表れる構成の図で、それのＡ−Ａ’図は図２と同じである。前記かご式回転子構造はコイルの励磁による回転子、または永久磁石式または凸極式または磁滞式または渦流式回転子から構成され、磁場形成構造及び電機回転子の外径及び内径寸法の選定により、遠心引き動き機構ＦＣＤ１００が電機回転子を引き動かして軸方向の引き動かしを行う中で、磁場形成構造と電機回転子の隙間には軸方向に沿う変化が発生する。
【００７７】
（３）前記各種同じまたは異なる交流または直流、ブラシ付きまたブラシなし回転磁場形成構造及び電機回転子構造を配置し、及び磁場形成構造及び電機回転子の軸方向に沿った異なる位置の寸法を選定することにより、それは同じまたは異なる内径または外径のある、または磁場形成構造または電機回転子が同じまたは異なる電機特性または構造の電機回転子から構成され、選定されて必要な発電機または電動機の運転及び出力の特性を獲得する。これら特性の設計製造の原理は周知のものであるため、ここでは説明しない。
【００７８】
（４）電機回転子は一体に構成されてもよく、磁場形成構造と異なる軸方向の相対位置に表れる運転状態に於いて、それの磁場形成構造と異なる軸方向の結合位置の仕事段は同じ電機特性または異なる電機特性のものでもよい。電機回転子は一体に構成され、または多数組電機特性の異なる少なくとも二つの電機回転子構造Ｒ１００・Ｒ１００＋Ｎが軸方向の重ね合いに表れて構成されたものでもよい。図２０に示すのは本発明の実施例による電機回転子が異なる電機特性の電機回転子から軸方向の重ね合わせに表れた構成の意表図である。
【００７９】
（５）磁場形成構造は一体に構成されてもよく、それの電機回転子と異なる軸方向の結合位置の仕事段は同じ電機特性または異なる電機特性のものでもよい。磁場形成構造は一体に構成され、または多数組電機特性の異なる少なくて二つ磁場形成構造Ｆ１００・Ｆ１００＋Ｎが軸方向の重ね合いに表れて構成されたものでもよい。図２１に示すのは本発明の実施例による磁場形成構造が異なる電機特性の電機回転子から軸方向の重ね合わせに表れた構成の図である。
【００８０】
この遠心力によって回転子の軸方向作動の調整制御を行う電機の電機回転子と磁場形成構造両者の機械的相対移行の駆動関係は外電機回転子の回転型電機構造、内電機回転子の回転型電機構造、磁場構造と電機回転子両者とも回転可能な双動型を含む。
【００８１】
この遠心力によって回転子の軸方向作動の調整制御を行う電機の構造は円筒状回転電機構造、錘状回転電機構造を含む。
この遠心力によって回転子の軸方向作動の調整制御を行う電機は電機回転子Ｒ１００が軸方向の移行に表れた電機回転軸Ｓ１００の応用例に於いて、その電機回転子Ｒ１００は延伸引き動き機構の予力ばねＳＰ１００の作用により、停止時は軸方向に沿って復帰になるよう迫られる。復帰位置を制限するため、次の構造方式に構成される軸方向定位置制限構造体Ｄ１００によって電機回転子Ｒ１００の定位置及び制限を行い、それの構造方式は次のものを含む。
【００８２】
前記図１に示すように、直径が回転軸より大きい定位置制限環状構造をもって回転軸に結合して制限する。または電機回転軸が階段状構造に表れ、直径のやや大きい軸段をもって定位置制限構造とする。またはＣ型スナップリングをもって定位置制限の構造とする。または径方向のピンをもって定位置制限の構造とする。または電機回転軸の径方向拡大に表れるリング状もって定位置制限の構造とする。またはその他同じ機能のある従来の軸方向定位置制限構造から構成されたものである。
【００８３】
この遠心力によって回転子の軸方向作動の調整制御を行う電機で、それの電機回転軸Ｓ１００及び軸方向移行に供される構造は、スプライン軸及び相対するスプライン軸孔構造から構成され、またはその他軸方向移行を行うことができるキー溝構造、または更に進んでそのキー溝状軸方向互動体の間に線性ローリングボールまたはローラ構造、またはスプライン軸またはその他軸方向移行可能なキー溝構造ＳＬ１００で、単層構造または多層構造に表れる構造でもよく、それは次のものを含む。
【００８４】
（１）単一の軸方向移行及び回転駆動のスリーブＳＣ１００構造から構成され、電機回転軸Ｓ１００が軸方向移行及び回転駆動の単層スリーブ軸受け構造を行うことに供される。図２２に示すのは本発明の実施例による、電機回転軸が単一の軸方向移行及び回転駆動スリーブに結合した構成の図である。
【００８５】
（２）内円面に帯状分布のあるローラ軸方向軸受けＳＳ１００から電機回転軸Ｓ１００が軸方向移行及び回転駆動を行うことに供される単層スリーブ軸受け構造を構成する。図２３に示すのは本発明の実施例による電機回転軸が内円面に帯状分布のあるローラ軸方向軸受けに結合した構成の図である。
【００８６】
（３）外層は回転駆動に供されるローリングボールまたはローラ軸受けから構成される回転駆動軸受けＢ１００で、内層は軸方向移行及び回転駆動を行うことができるスリーブまたは軸受けＳＢ１００から構成された軸方向移行及び回転駆動を行うことができる多層軸受け構造であるもの。図２４に示すのは本発明の実施例による電機回転軸の外層はローラ軸受けで、内層は軸方向移行及び回転駆動を行うことができるスリーブまたは軸受けに結合した構成の図である。
【００８７】
（４）外層は回転駆動に供される回転駆動軸受けＢ１００から構成され、内層はスプライン軸またはその他軸方向移行を行うことができるキー溝構造ＳＬ１００から構成された軸方向移行及び回転駆動を行うことができる多層の軸受け構造であるもの。図２５に示すのは本発明の実施例による電機回転軸の外層は回転軸受けで、内層は軸方向移行を行うことができるスプライン軸またはキー溝構造から構成された多層軸受け構造に結合した構成の図である。
【００８８】
（５）外層は回転駆動に供される回転駆動軸受けＢ１００から構成され、内層は軸方向移行を行うことができる軸方向軸受けＳＳ１００から構成された軸方向移行及び回転駆動を行うことができる多層の軸受け構造であるもの。図２６に示すのは本発明の実施例による電機回転軸が外層は回転軸受けで、内層は軸方向軸受けの多層軸受け構造に結合した構成の図である。
【００８９】
（６）外層は軸方向移行及び回転駆動を行うことができるスリーブまたは軸受けＳＢ１００構造から構成され、内層は回転駆動軸受けＢ１００から構成された軸方向移行及び回転駆動を行うことができる多層軸受け構造であるもの。図２７に示すのは本発明の実施例による電機回転軸が外層は軸方向移行が可能なスリーブまたは軸受け、内層は回転軸受けの多層軸受け構造に結合した構成の図である。
【００９０】
（７）外層はスプライン軸またはその他軸方向移行を行うことができるキー溝構造ＳＬ１００から構成され、内層は回転駆動軸受けＢ１００から構成された軸方向移行及び回転駆動を行うことができる多層軸受け構造であるもの。図２８に示すのは本発明の実施例による電機回転軸が外層は軸方向移行が可能なスプライン軸式キー溝構造、内層は回転軸受けの多層軸受け構造に結合した構成の図である。
【００９１】
（８）外層は軸方向軸受けＳＳ１００から構成され、内層は回転駆動軸受けＢ１００から構成された軸方向移行及び回転駆動を行うことができる多層軸受け構造であるもの。図２９に示すのは本発明の実施例による電機回転軸が外層は軸方向軸受け、内層は回転軸受けの多層軸受け構造に結合した構成の図である。
【００９２】
上記をまとめると、この遠心力によって回転子の軸方向作動の調整制御を行う電機は、電機の電機回転軸と電機回転子の間、または電機回転軸と駆動される伝動エレメントの間、または電機回転子とケーシングの間、または電機回転軸とケーシングの間に遠心引き動き機構ＦＣＤ１００によって電機回転子が軸方向移行を行うよう引き動かす。減速時は復帰に表れる軸方向の予力ばねＳＰ１００が設けられ、電機が運転された場合、遠心機構は回転速度の変化による遠心力及び予力ばねの作用により、電機回転子を駆動して軸方向の移行を行い、更に進んで電機回転子と磁場形成構造間の電気特性の調整制御を開示することを特徴としたもので、それの機能は確実で創意は新しく、請求人はこれまでの技術を満遍なく調べたがそれの開示がないので、法に従ってご審査お願い申し上げます。
【００９３】
本発明の主な目的は遠心力によって回転子の軸方向作動の調整制御を行う電機を提供するもので、それは回転電機の電機回転軸と電機回転子の間、または電機回転子とケーシングの間、または電機回転軸とケーシングの間に遠心引き動き機構ＦＣＤ１００によって軸方向移行を行うよう電気回転子を引き動かし、及び減速時は復帰に表れる軸方向の予力ばねＳＰ１００を設け、並びに電機回転軸に選択可能に軸方向定位置制限構造体Ｄ１００を設置することを開示している。電機が運転した場合は電機回転子の回転速度の変化によって電機回転子は相対の軸方向移行を行い、更に進んでそれと磁場形成構造間の電機特性を調整制御するものである。伝動的電機のケーシング、軸受け等部品の外、それの主要構成は次のものを含む。
【００９４】
磁場形成構造Ｆ１００は交流または直流発電機または電動機の磁場形成構造から構成されたものを含み、それの構造形態は次のものを含む。
Ｆ１：磁場形成構造の磁極と電機回転子との間に、平常態の安定した平均分布の磁場を形成するもの。
【００９５】
Ｆ２：磁場形成構造の磁極と電機回転子との間の軸方向片側または両側に、異なる強度分布の磁場を形成するもの。
Ｆ３：磁場形成構造の磁極と電機回転子との間の軸方向片側または両側に、電機回転子と異なる隙間があるもの。
【００９６】
Ｆ４：磁場形成構造の磁極と電機回転子との間の軸方向片側または両側に、多数の永久磁石式磁極、励磁コイルＷ１００から励磁された磁極または両者が混合して軸方向に直列して形成されるもの。
Ｆ５：Ｆ１からＦ４の２種または２種以上の構造形態から構成されているもの。
【００９７】
電機回転子Ｒ１００は各種従来の交流または直流発電機または電動機の永久磁石型、凸極型、磁滞型、コイル励磁型、整流子型、渦流型、かご型等各種交流または直流のブラシ付きまたはブラシなし、同調または不同調回転子が単独または混合して構成された電機回転子を含む。
【００９８】
遠心引き動き機構ＦＣＤ１００は従来の遠心力によって軸方向の引き動き力が発生する機構から構成され、並びに減速時は復帰に表れる軸方向の予力ばねＳＰ１００が設けられ、電機回転子の回転速度に伴って電機回転子が相対の軸方向移行を行うよう引き動かし、それをもって電機回転子Ｒ１００と磁場形成構造Ｆ１００相対位置を変え、電機回転子Ｒ１００と磁場形成構造Ｆ１００の間に相対に設定した発電機または電動機の特性が発生するものである。
【図面の簡単な説明】
【図１】本発明の実施例による電機回転子と電機回転軸の間に電機回転子を引き動かして軸方向の作動調整制御を行うことに供される遠心引き動き機構が設けられた構造の断面図である。
【図２】図１のＡ−Ａ’断面図である。
【図３】本発明の実施例による電機回転子とケーシングの内側間に電機回転子を引き動かして軸方向の作動調整制御を行うことに供される遠心引き動き機構が設けられている構造の断面図である。
【図４】本発明の実施例による電機回転子とケーシングの内側間に電機回転軸を引き動かして軸方向の作動調整制御を行うことに供される遠心引き動き機構が設けられている構造の断面図である。
【図５】本発明の実施例による電機回転軸とケーシングの内側間に電機回転子を引き動かして軸方向の作動調整制御を行うことに供される遠心引き動き機構が設けられてある構造の断面図である。
【図６】本発明の実施例による電機回転軸とケーシングの外側間に電機回転子を引き動かして軸方向の作動調整制御を行うことに供される遠心引き動き機構が設けられている構造の断面図である。
【図７】本発明の両電機回転子の実施例一を示す断面図である。
【図８】本発明の両電機回転子の実施例二を示す断面図である。
【図９】一側の電機回転子と共用電機回転軸の間は軸方向移行の操作制御を行なうことができ、別の一側の電機回転子と共用電機回転軸の間は軸方向移行の操作制御を行なうことができない固定結合とされる本発明の実施例を示す断面図である。
【図１０】本発明の両電機回転子の実施例三を示す断面図である。
【図１１】本発明の両電機回転子の実施例四を示す断面図である。
【図１２】本発明の両電機回転子の実施例五を示す断面図である。
【図１３】一側の電機回転子と共用電機回転軸の間は軸方向移行の操作制御を行なうことができ、別の一側の電機回転子と共用電機回転軸の間は固定結合される本発明のの実施例を示す断面図である。
【図１４】本発明の両電機回転子の実施例六を示す断面図である。
【図１５】本発明の両電機回転子の実施例七を示す断面図である。
【図１６】本発明の両電機回転子の実施例八の図である。
【図１７】本発明の両電機回転子の実施例九を示す断面図である。
【図１８】本発明の実施例による軸方向の延長に表れた整流子式電機子を示す断面図である。
【図１９】本発明の実施例による軸方向多段ループのかご式回転子構造を示す図である。
【図２０】電機回転子が異なる電機特性の電機回転子から軸方向の重ね合わせに表れた構成の本発明の実施例を示す断面図である。
【図２１】本発明の磁場形成構造が異なる電機特性の電機回転子から軸方向の重ね合わせに表れた構成の実施例を示す断面図である。
【図２２】電機回転軸が単一の軸方向移行及び回転駆動スリーブに結合した本発明の実施例を示す断面図である。
【図２３】電機回転軸が内円面に帯状分布のあるローラ軸方向軸受けに結合した本発明の実施例の図である。
【図２４】電機回転軸の外層がローラ軸受け、内層が軸方向移行及び回転駆動を行うことができるスリーブまたは軸受けに結合した本発明の実施例を示す断面図である。
【図２５】電機回転軸の外層が回転軸受け、内層が軸方向移行を行うことができるスプライン軸またはキー溝構造から構成された多層軸受け構造に結合した本発明の実施例を示す断面図である。
【図２６】電機回転軸の外層が回転軸受け、内層が軸方向軸受けの多層軸受け構造に結合した本発明の実施例を示す断面図である。
【図２７】電機回転軸の外層が軸方向移行可能なスリーブまたは軸受け、内層が回転軸受けの多層軸受け構造に結合した本発明の実施例を示す断面図である。
【図２８】電機回転軸の外層が軸方向移行が可能なスプライン軸式キー溝構造で、内層は回転軸受けの多層軸受け構造に結合した本発明の実施例を示す断面図である。
【図２９】電機回転軸の外層が軸方向軸受け、内層が回転軸受けの多層軸受け構造に結合した本発明の実施例を示す断面図である。
【符号の説明】
Ａ５００    アーム
Ｂ１００    軸受け
Ｂ２００    軸受け
Ｃ１００    固定台
Ｄ１００    軸方向定位置制限構造体
Ｆ１００    磁場形成構造
Ｈ１００    ケーシング
Ｒ１００    電機回転子
Ｓ１００    電機回転軸
ＦＷ５００    遠心塊
ＳＣ５００    枢軸関節構造
ＳＬ１００    キー溝構造
ＳＰ１００    予力ばね
ＦＣＤ１００    遠心引き動き機構
【図１】
2004215454.tif 000003
【図２】
2004215454.tif 000004
【図３】
2004215454.tif 000005
【図４】
2004215454.tif 000006
【図５】
2004215454.tif 000007
【図６】
2004215454.tif 000008
【図７】
2004215454.tif 000009
【図８】
2004215454.tif 000010
【図９】
2004215454.tif 000011
【図１０】
2004215454.tif 000012
【図１１】
2004215454.tif 000013
【図１２】
2004215454.tif 000014
【図１３】
2004215454.tif 000015
【図１４】
2004215454.tif 000016
【図１５】
2004215454.tif 000017
【図１６】
2004215454.tif 000018
【図１７】
2004215454.tif 000019
【図１８】
2004215454.tif 000020
【図１９】
2004215454.tif 000021
【図２０】
2004215454.tif 000022
【図２１】
2004215454.tif 000023
【図２２】
2004215454.tif 000024
【図２３】
2004215454.tif 000025
【図２４】
2004215454.tif 000026
【図２５】
2004215454.tif 000027
【図２６】
2004215454.tif 000028
【図２７】
2004215454.tif 000029
【図２８】
2004215454.tif 000030
【図２９】
2004215454.tif 000031